(57)【要約】  特定の外部機器から受信した音響信号に施されている特定音場補正処理の態様を処理制御部１１９Ａにおける補正計測部が計測する。この計測結果に基づいて、当該音響信号に施されている特定音場補正処理を相殺するための設定が、補正相殺部３１０に対して行われる。また、実際の音場空間に応じた適正音場処理の態様を、処理制御部１１９Ａにおける適正補正取得部が取得する。この取得結果に基づいて、適正音場補正処理を信号ＳＮＤに対して施すための設定が、補正処理部３３０に対して行われる。したがって、受信処理部１１１で受信した複数の音響信号のいずれが選択されても、適切に音場補正処理が施された状態で、出力音声信号を、スピーカユニットに供給することができる。
2009107227.tif 000002
【特許請求の範囲】
【請求項１】
音場空間に音声を出力する複数のスピーカに供給される音響信号を生成する音響信号処理装置であって、
複数の外部機器のそれぞれから音響信号を受信する受信手段と；
前記複数の外部機器のうちの特定の外部機器から受信した音響信号である特定音響信号に対して施されている音場補正処理である特定音場補正処理の態様を計測する計測手段と；
前記音場空間に応じて、原音響信号に対して施されるべき音場補正処理である適正補正処理の態様を取得する取得手段と；
前記複数のスピーカに供給される音響信号として前記特定音響信号が選択された場合に、前記計測手段による計測結果及び前記取得手段による取得結果に基づいて、前記特定音響信号に対応する原音響信号に対して前記適正補正処理が施された音響信号を生成する生成手段と；
を備えることを特徴とする音響信号処理装置。
【請求項２】
前記計測手段は、前記特定の外部機器が計測用音声コンテンツから生成した前記特定音響信号を解析することにより、前記特定音場補正処理の態様を計測する、ことを特徴とする請求項１に記載の音響信号処理装置。
【請求項３】
前記音場補正処理には、前記複数のスピーカのそれぞれから出力される音声の同期化を図る同期補正処理が含まれ、
前記特定音場補正処理に含まれる同期補正処理の態様を前記計測手段により計測する際には、前記特定音響信号に対応する原音響信号における前記複数のスピーカのそれぞれに対応する原個別音響信号として、前記同期補正処理において前記原個別音響信号のそれぞれに付与される遅延時間の相互間における最大遅延時間差の２倍よりも長い周期で同時に発生するパルス状の信号が使用され、
前記計測手段は、前記特定の外部機器からの音響信号における個別音響信号のいずれかについて最初にパルス状の信号が検出された時点から、前記周期の１／２の時間が経過した後における前記特定音響信号に基づいて、前記同期補正処理の態様を計測する、
ことを特徴とする請求項１又は２に記載の音響信号処理装置。
【請求項４】
前記音場空間内の集音位置における音声を集音する集音手段を更に備え、
前記取得手段は、前記複数のスピーカのそれぞれからテスト音声を出力した場合における前記集音手段による結果に基づいて、前記適正補正処理の態様を算出する、
ことを特徴とする１〜３のいずれか一項に記載の音響信号処理装置。
【請求項５】
前記生成手段は、
前記計測手段による計測結果に基づいて、前記特定音響信号に施されている音場補正処理を相殺する相殺手段と；
前記複数のスピーカに供給される音響信号として前記特定音響信号が選択された場合に、前記相殺手段による相殺結果に前記適正補正処理を施す補正手段と；
を備えることを特徴とする請求項１〜４のいずれか一項に記載の音響信号処理装置。
【請求項６】
前記特定の外部機器以外の外部機器から受信した音響信号は、音場補正処理が施されていないことが既知の無補正音響信号であり、
前記複数のスピーカに供給される音響信号として前記無補正音響信号が選択された場合に、前記無補正音響信号が前記補正手段に供給され、前記補正手段が前記無補正音響信号に対して前記適正補正処理を施す、
ことを特徴とする請求項５に記載の音響信号処理装置。
【請求項７】
前記生成手段は、前記複数のスピーカに供給される音響信号として前記特定音響信号が選択された場合に、前記適正補正処理と前記特定補正処理との差分に対応する音場補正処理を前記特定音響信号に対して施す補正手段を備える、ことを特徴とする請求項１〜４のいずれか一項に記載の音響信号処理装置。
【請求項８】
前記特定の外部機器以外の外部機器から受信した音響信号は、音場補正処理が施されていないことが既知の無補正音響信号であり、
前記複数のスピーカに供給される音響信号として前記無補正音響信号が選択された場合に、前記補正手段が前記無補正音響信号に対して前記適正補正処理を施す、
ことを特徴とする請求項７に記載の音響信号処理装置。
【請求項９】
前記音場補正処理には、前記複数のスピーカのそれぞれから出力される音声の同期化を図る同期補正処理が含まれ、
前記生成手段は、
前記計測手段による計測結果に基づいて、前記特定補正処理に含まれる同期補正処理を相殺する同期補正相殺手段と；
前記複数のスピーカに供給される音響信号として前記特定音響信号が選択された場合に、前記同期補正相殺手段による相殺結果に対して所定の擬似サラウンド処理を施す擬似サラウンド処理手段と；
前記擬似サラウンド処理手段による処理結果に対して、前記適正補正処理に含まれる同期補正処理以外の補正処理と、前記特定補正処理に含まれる同期補正処理以外の補正処理との差分に対応する補正処理を施すとともに、前記擬似サラウンド処理手段による処理結果に対して前記適正補正処理に含まれる同期補正処理を施す補正手段と；を備える、
ことを特徴とする請求項１〜４のいずれか一項に記載の音響信号処理装置。
【請求項１０】
前記特定の外部機器以外の外部機器から受信した音響信号は、音場補正処理が施されていないことが既知の無補正音響信号であり、
前記複数のスピーカに供給される音響信号として前記無補正音響信号が選択された場合に、前記無補正音響信号が前記擬似サラウンド処理手段に供給され、
前記補正手段が前記擬似サラウンド処理手段による処理結果に対して、前記適正補正処理を施す、
ことを特徴とする請求項９に記載の音響信号処理装置。
【請求項１１】
前記音場補正処理には、前記複数のスピーカのそれぞれからの出力音量のバランスを補正する音量バランス補正処理、及び、前記複数のスピーカのそれぞれに供給される音響信号の周波数特性を補正する周波数特性補正処理の少なくとも一方が含まれる、ことを特徴とする請求項１〜１０のいずれか一項に記載の音響信号処理装置。
【請求項１２】
移動体に搭載される、ことを特徴とする請求項１〜１１のいずれか一項に記載の音響信号処理装置。
【請求項１３】
音場空間に音声を出力する複数のスピーカに供給される音響信号を生成する音響信号処理方法であって、
複数の外部機器のうちの特定の外部機器から受信した音響信号である特定音響信号に対して施されている音場補正処理である特定音場補正処理の態様を計測する計測工程と；
前記音場空間に応じて、原音響信号に対して施されるべき音場補正処理である適正補正処理の態様を取得する取得工程と；
前記複数のスピーカに供給される音響信号として前記特定音響信号が選択された場合に、前記計測工程における計測結果及び前記取得工程における取得結果に基づいて、前記特定音響信号に対応する原音響信号に対して前記適正補正処理が施された音響信号を生成する生成工程と；
を備えることを特徴とする音響信号処理方法。
【請求項１４】
請求項１３に記載の音響信号処理方法を演算手段に実行させる、ことを特徴とする音響信号処理プログラム。
【請求項１５】
請求項１４に記載の音響信号処理プログラムが、演算手段により読み取り可能に記録されている、ことを特徴とする記録媒体。
【発明の詳細な説明】
【技術分野】
【０００１】
本発明は、音響信号処理装置、音響信号処理方法、音響信号処理プログラム及び当該音響信号処理プログラムが記録された記録媒体に関する。
【背景技術】
【０００２】
近年、ＤＶＤ（Digital Versatile Disk）等の普及に伴って、複数のスピーカを有するマルチチャンネルサラウンド方式の音響装置が普及している。これにより、家庭内空間や車両内空間においても、臨場感溢れるサラウンド音声を楽しむことができるようになってきている。【０００３】
こうした音響装置の設置環境は様々である。このため、音声を出力する複数のスピーカを、マルチチャンネルサラウンド方式の観点における対称性を有する位置に配置することができない場合がしばしば発生する。特に、車両にマルチチャンネルサラウンド方式の音響装置を搭載する場合には、聴取位置である着座位置の制約等から、複数のスピーカを、マルチチャンネルサラウンド方式の観点から推奨される対称性を有する位置に配置することができない。さらに、各スピーカの特性も、当該マルチチャンネルサラウンド方式の実現に際して最適なものとなっていない場合も多い。このため、採用されるマルチチャンネルサラウンド方式により良質なサラウンド音声を得るためには、音響信号を補正することにより、音場を補正することが必要となる。【０００４】
ところで、上記のような音場補正等のために音響信号の補正が必要となる音響装置（以下、「音源装置」ともいう）は１種類に限らない。例えば、車両に搭載されることが想定される音源装置としては、上述したＤＶＤ等に記録された音声コンテンツを再生するプレイヤや、放送波に含まれる音声コンテンツを再生する放送受信装置等がある。こうした場合に、音響信号補正のための手段を共通化する技術が提案されている（特許文献１参照：以下、「従来例」という）。【０００５】
この従来例の技術では、複数の音源装置からの音響信号を入力するとともに、再生の選択が行われた音源装置に対応する音声をスピーカから再生出力する。そして、再生選択の切り替えの際に、音量レベルを適切なものとすべく、複数の音源装置に共通の音量補正手段により音量補正を行っている。【０００６】
【特許文献１】特開２００６−９９８３４号公報
【発明の開示】
【発明が解決しようとする課題】
【０００７】
上述した従来例の技術は、音源装置の切り替えによる利用者の音量に対する違和感の発生を抑制する技術である。このため、従来例の技術は、複数のスピーカからの出力音声が形成する音場を臨場感溢れるものとするために音場補正処理を行うものではない。【０００８】
ところで、例えば、車両の製造時において当該車両に搭載される音源装置（いわゆる、純正品）の中には、音声コンテンツに対して忠実な原音響信号に特定の音場補正処理を施して、スピーカへの提供用の音響信号を生成しているものがある。一方、純正品ではない音源装置では、一般に、原音響信号をスピーカへの提供用の音響信号として生成している。このため、純正品ではない音源装置によって生成された音響信号について適切な音場補正処理であっても、純正品である音源装置によって生成された音響信号について適切な音場処理となっているとは限らない。【０００９】
このため、音場補正処理を行っている音源装置と、音場補正処理を行っていない音源装置とを切り換えて音声再生を行った場合であっても、適切な音場補正処理を施すことができる技術が望まれている。かかる要請に応えることが、本発明が解決すべき課題の一つとして挙げられる。【００１０】
本発明は、上記の事情を鑑みてなされたものであり、複数の音響信号のいずれが選択されても、適切な音場補正処理が施された状態の出力音声信号をスピーカへ供給することができる音響信号処理装置及び音響信号処理方法を提供することを目的とする。
【課題を解決するための手段】
【００１１】
本発明は、第１の観点からすると、音場空間に音声を出力する複数のスピーカに供給される音響信号を生成する音響信号処理装置であって、複数の外部機器のそれぞれから音響信号を受信する受信手段と；前記複数の外部機器のうちの特定の外部機器から受信した音響信号である特定音響信号に対して施されている音場補正処理である特定音場補正処理の態様を計測する計測手段と；前記音場空間に応じて、原音響信号に対して施されるべき音場補正処理である適正補正処理の態様を取得する取得手段と；前記複数のスピーカに供給される音響信号として前記特定音響信号が選択された場合に、前記計測手段による計測結果及び前記取得手段による取得結果に基づいて、前記特定音響信号に対応する原音響信号に対して前記適正補正処理が施された音響信号を生成する生成手段と；を備えることを特徴とする音響信号処理装置である。【００１２】
本発明は、第２の観点からすると、音場空間に音声を出力する複数のスピーカに供給される音響信号を生成する音響信号処理方法であって、複数の外部機器のうちの特定の外部機器から受信した音響信号である特定音響信号に対して施されている音場補正処理である特定音場補正処理の態様を計測する計測工程と；前記音場空間に応じて、原音響信号に対して施されるべき音場補正処理である適正補正処理の態様を取得する取得工程と；前記複数のスピーカに供給される音響信号として前記特定音響信号が選択された場合に、前記計測工程における計測結果及び前記取得工程による取得結果に基づいて、前記特定音響信号に対応する原音響信号に対して前記適正補正処理が施された音響信号を生成する生成工程と；を備えることを特徴とする音響信号処理方法である。【００１３】
本発明は、第３の観点からすると、本発明の音響信号処理方法を演算手段に実行させる、ことを特徴とする音響信号処理プログラムである。【００１４】
本発明は、第４の観点からすると、本発明の音響信号処理プログラムが、演算手段により読み取り可能に記録されている、ことを特徴とする記録媒体である。
【図面の簡単な説明】
【００１５】
【図１】本発明の第１実施形態に係る音響信号処理装置の構成を概略的に示すブロック図である。
【図２】図１の４個のスピーカユニットの配置位置を説明するための図である。
【図３】図１の制御ユニットの構成を説明するためのブロック図である。
【図４】図３の受信処理部の構成を説明するためのブロック図である。
【図５】図３の出力音声データ生成部の構成を説明するためのブロック図である。
【図６】図５の再生音声データ生成部の構成を説明するためのブロック図である。
【図７】図６の補正相殺部の構成を説明するためのブロック図である。
【図８】図６の補正処理部の構成を説明するためのブロック図である。
【図９】図５の信号選択部の構成を説明するためのブロック図である。
【図１０】図３の処理制御部の構成を説明するためのブロック図である。
【図１１】特定音場補正処理における同期補正処理の計測の際に使用される計測用音声コンテンツを説明するための図である。
【図１２】特定音場補正処理における同期補正処理の計測の際の計測対象信号を説明するための図である。
【図１３】図１の装置における特定音場補正処理の態様の計測処理と、補正相殺のための設定処理を説明するためのフローチャートである。
【図１４】図１の装置における適正音場補正処理の態様の取得処理と、適正音場補正のための設定処理を説明するためのフローチャートである。
【図１５】本発明の第２実施形態に係る音響信号処理装置の構成を概略的に示すブロック図である。
【図１６】図１５の制御ユニットの構成を説明するためのブロック図である。
【図１７】図１６の出力音声データ生成部における再生音声データ生成部の構成を説明するためのブロック図である。
【図１８】図１６の処理制御部の構成を説明するためのブロック図である。
【図１９】図１８の記憶部における記憶内容を説明するための図である。
【図２０】図１５の装置における特定音場補正処理の態様の計測処理を説明するためのフローチャートである。
【図２１】図１５の装置における特定音場補正処理の態様の計測処理を説明するためのフローチャートである。
【図２２】図１５の装置における再生音声の選択に対応する処理を説明するためのフローチャートである。
【図２３】本発明の第３実施形態に係る音響信号処理装置の構成を概略的に示すブロック図である。
【図２４】図２３の制御ユニットの構成を説明するためのブロック図である。
【図２５】図２４の出力音声データ生成部における再生音声データ生成部の構成を説明するためのブロック図である。
【図２６】図２３の処理制御部の構成を説明するためのブロック図である。
【図２７】図２３の装置における再生音声の選択に対応する処理を説明するためのフローチャートである。
【発明を実施するための最良の形態】
【００１６】
以下、本発明の実施形態を、添付図面を参照して説明する。なお、以下の説明及び図面においては、同一又は同等の要素には同一の符号を付し、重複する説明は省略する。【００１７】
［第１実施形態］
まず、本発明の第１実施形態を、図１〜図１４を参照して説明する。【００１８】
＜構成＞
図１には、第１実施形態に係る音響信号処理装置１００Ａの概略的な構成がブロック図にて示されている。なお、以下の説明においては、音響信号処理装置１００Ａは、車両ＣＲ（図２参照）に搭載される装置であるものとする。また、この音響信号処理装置１００Ａは、マルチチャンネルサラウンド方式の１つである４チャンネルサラウンド方式の音響信号に対する処理を行うものとする。４チャンネルサラウンド方式の音響信号とは、レフトチャンネル（以下、「Ｌチャンネル」という）、ライトチャンネル（以下、「Ｒチャンネル」という）、サラウンドレフトチャンネル（以下、「ＳＬチャンネル」という）及びサラウンドライトチャンネル（以下、「ＳＲチャンネル」という）の４チャンネル構成の音響信号をいうものとする。【００１９】
図１に示されるように、音響信号処理装置１００Ａには、Ｌ〜ＳＲチャンネルに対応するスピーカユニット９１０L〜９１０SRが接続されている。これらのスピーカユニット９１０j（ｊ＝Ｌ〜ＳＲ）のそれぞれは、制御ユニット１１０Ａから送られてきた出力音声信号ＡＯＳにおける個別出力音声信号ＡＯＳjに従って、音声を再生して出力する。【００２０】
本実施形態では、図２に示されるように、スピーカユニット９１０Lは、助手席側の前方ドア筐体内に配置される。このスピーカユニット９１０Lは、助手席側を向くように配設されている。【００２１】
また、スピーカユニット９１０Rは、運転席側の前方ドア筐体内に配置される。このスピーカユニット９１０Rは、運転席側を向くように配設されている。【００２２】
また、スピーカユニット９１０SLは、助手席側後部の筐体内に配置される。このスピーカユニット９１０SLは、助手席側の後部座席を向くように配設されている。【００２３】
また、スピーカユニット９１０SRは、運転席側後部の筐体内に配置される。このスピーカユニット９１０SRは、運転席側の後部座席を向くように配設されている。【００２４】
以上のように配置されたスピーカユニット９１０L〜９１０SRから、音場空間ＡＳＰへ向けて音声が出力されるようになっている。【００２５】
図１に戻り、音響信号処理装置１００Ａには、音源装置９２０0，９２０1，９２０2が接続される。ここで、音源装置９２０0，９２０1，９２０2のそれぞれは、音声コンテンツに基づいて音響信号を生成し、音響信号処理装置１００Ａへ送るようになっている。【００２６】
上記の音源装置９２０0は、ＤＶＤ等の記録媒体ＲＭに記録された音声コンテンツに忠実な４チャンネル構成の原音響信号を生成する。そして、音源装置９２０0では、当該原音響信号に対して特定音場補正処理が施され、音響信号ＵＡＳが生成される。【００２７】
なお、本第１実施形態では、音響信号ＵＡＳは、４つのアナログ信号ＵＡＳL〜ＵＡＳSRから構成されている。ここで、アナログ信号ＵＡＳj（ｊ＝Ｌ〜ＳＲ）は、スピーカユニット９１０jに供給可能な態様の信号となっている。【００２８】
上記の音源装置９２０1は、音声コンテンツに忠実な４チャンネル構成の原音響信号を生成する。そして、音源装置９２０1からは、当該原音響信号が音響信号ＮＡＳとして音響信号処理装置１００Ａへ送られる。なお、本第１実施形態では、音響信号ＮＡＳは、４つのアナログ信号ＮＡＳL〜ＮＡＳSRから構成されている。ここで、アナログ信号ＮＡＳj（ｊ＝Ｌ〜ＳＲ）は、スピーカユニット９１０jに供給可能な態様の信号となっている。【００２９】
上記の音源装置９２０2は、音声コンテンツに忠実な４チャンネル構成の原音響信号を生成する。そして、音源装置９２０2からは、当該原音響信号が音響信号ＮＡＤとして音響信号処理装置１００Ａへ送られる。なお、本第１実施形態では、音響信号ＮＡＤは、４つのチャンネルごとの信号分離が行われていないデジタル信号となっている。【００３０】
次に、本第１実施形態に係る上記の音響信号処理装置１００Ａの詳細について説明する。図１に示されるように、音響信号処理装置１００Ａは、制御ユニット１１０Ａと、集音手段としての集音ユニット１４０と、表示ユニット１５０と、操作入力ユニット１６０とを備えている。【００３１】
制御ユニット１１０Ａは、上述した適正音場補正処理の態様の計測処理、及び、音源装置９２０0〜９２０2のいずれかからの音響信号に基づいて、出力音声信号ＡＯＳの生成処理を行う。この制御ユニット１１０Ａについては、後述する。【００３２】
上記の集音ユニット１４０は、例えば、（ｉ）周囲の音を収集して電気的なアナログ音声信号とするマイクロフォン、（ii）マイクロフォンから出力されたアナログ音声信号を増幅する増幅器、（iii）増幅されたアナログ音声信号をデジタル音声信号に変換するＡＤ変換器（Analog to Digital Converter）とを備えて構成されている。ここで、マイクロフォンは、音場空間ＡＳＰにおける所定の少なくとも１つの位置に配置されている。各スピーカユニット９１０L〜９１０SRから出力された計測音声の集音ユニット１４０による集音結果は、集音結果データＡＳＤとして、制御ユニット１１０Ａに報告される。【００３３】
上記の表示ユニット１５０は、例えば、（ｉ）液晶パネル、有機ＥＬ（Electro Luminescence）パネル、ＰＤＰ（Plasma Display Panel）等の表示デバイスと、（ii）表示ユニット１５０全体の制御を行うグラフィックレンダラ等の表示コントローラと、（iii）表示画像データを記憶する表示画像メモリ等を備えて構成されている。この表示ユニット１５０は、制御ユニット１１０Ａからの表示データＩＭＤに従って、操作ガイダンス情報等を表示する。【００３４】
上記の操作入力ユニット１６０は、音響信号処理装置１００Ａの本体部に設けられたキー部、及び／又はキー部を備えるリモート入力装置等により構成される。ここで、本体部に設けられたキー部としては、表示ユニット１５０の表示デバイスに設けられたタッチパネルを用いることができる。なお、キー部を有する構成に代えて、又は併用して音声認識技術を利用して音声にて入力する構成を採用することもできる。【００３５】
この操作入力ユニット１６０を利用者が操作することにより、音響信号処理装置１００Ａの動作内容の設定が行われる。例えば、適正音場補正処理の態様の計測指令、音源装置９２００〜９２０２のうちのどの音源装置からの音響信号に基づく音声を、スピーカユニット９１０L〜９１０SRから出力させるかを選択する音声選択指令等を、利用者が操作入力ユニット１６０を利用して行う。こうした入力内容は、操作入力データＩＰＤとして、操作入力ユニット１６０から制御ユニット１１０Ａへ向けて送られる。【００３６】
上記の制御ユニット１１０Ａは、図３に示されるように、受信手段としての受信処理部１１１と、出力音声データ生成部１１４Ａとを備えている。また、制御ユニット１１０Ａは、ＤＡ（Digital to Analogue）変換部１１５と、増幅部１１６とを備えている。さらに、制御ユニット１１０Ａは、処理制御部１１９Ａを備えている。【００３７】
上記の受信処理部１１１は、音源装置９２０0からの音響信号ＵＡＳ、音源装置９２０1からの音響信号ＮＡＳ及び音源装置９２０2からの音響信号ＮＡＤを受ける。そして、受信処理部１１１は、音響信号ＵＡＳから信号ＵＡＤを生成し、音響信号ＮＡＳから信号ＮＤ１を生成するとともに、音響信号ＮＡＤから信号ＮＤ２を生成する。この受信処理部１１１は、図４に示されるように、ＡＤ（Analogue to Digital）変換部２１１，２１２と、チャンネル分離部２１３とを備えている。【００３８】
上記のＡＤ変換部２１１は、４個のＡＤ変換器を備えて構成される。このＡＤ変換部２１１は、音源装置９２０0からの音響信号ＵＡＳを受ける。そして、ＡＤ変換部２１１は、音響信号ＵＡＳに含まれるアナログ信号である個別音響信号ＵＡＳL〜ＵＡＳSRのそれぞれをＡＤ変換して、デジタル形式の信号ＵＡＤを生成する。こうして生成された信号ＵＡＤは、処理制御部１１９Ａ及び出力音声データ生成部１１４Ａへ送られる。なお、信号ＵＡＤには、個別音響信号ＵＡＳj（ｊ＝Ｌ〜ＳＲ）がＡＤ変換された個別信号ＵＡＤjが含まれている。【００３９】
上記のＡＤ変換部２１２は、ＡＤ変換部２１１と同様に、４個のＡＤ変換器を備えて構成される。このＡＤ変換部２１２は、音源装置９２０1からの音響信号ＮＡＳを受ける。そして、ＡＤ変換部２１２は、音響信号ＮＡＳに含まれるアナログ信号である個別音響信号ＮＡＳL〜ＮＡＳSRのそれぞれをＡＤ変換して、デジタル形式の信号ＮＤ１を生成する。こうして生成された信号ＮＤ１は、出力音声データ生成部１１４Ａへ送られる。なお、信号ＮＤ１には、個別音響信号ＮＡＳj（ｊ＝Ｌ〜ＳＲ）がＡＤ変換された個別信号ＮＤ１jが含まれている。【００４０】
上記のチャンネル分離部２１３は、音源装置９２０2からの音響信号ＮＡＤを受ける。そして、チャンネル分離部２１３は、音響信号ＮＡＤを解析し、音響信号ＮＡＤに含まれるチャンネル指定情報に従って、音響信号ＮＡＤを、４チャンネルサラウンド方式におけるＬ〜ＳＲチャンネルに対応する個別信号ＮＤ２L〜ＮＤ２SRに分離することにより、信号ＮＤ２を生成する。こうして生成された信号ＮＤ２は、出力音声データ生成部１１４Ａへ送られる。【００４１】
図３に戻り、上記の出力音声データ生成部１１４Ａは、受信処理部１１１からの信号ＵＡＤ，ＮＤ１，ＮＤ２を受ける。そして、出力音声データ生成部１１４Ａは、処理制御部１１９Ａからの生成制御指令ＧＣＡに従って、信号ＡＯＤを生成する。ここで、信号ＡＯＤには、Ｌ〜ＳＲに対応する個別信号ＡＯＤL〜ＡＯＤSRが含まれている。この出力音声データ生成部１１４Ａは、図５に示されるように、生成手段としての再生音声データ生成部２４１Ａと、テスト音声発生部２４２と、信号選択部２４３とを備えている。【００４２】
上記の再生音声データ生成部２４１Ａは、受信処理部１１１からの信号ＵＡＤ，ＮＤ１，ＮＤ２を受ける。そして、再生音声データ生成部２４１Ａは、生成制御指令ＧＣＡにおける再生生成指令ＲＧＡに従って、信号ＡＰＤを生成する。ここで、信号ＡＰＤには、Ｌ〜ＳＲに対応する個別信号ＡＰＤL〜ＡＰＤSRが含まれている。この再生音声データ生成部２４１Ａは、図６に示されるように、相殺手段としての補正相殺部３１０と、信号選択部３２０と、補正手段としての補正処理部３３０とを備えている。【００４３】
上記の補正相殺部３１０は、受信処理部１１１からの信号ＵＡＤを受ける。そして、補正相殺部３１０は、再生生成指令ＲＧＡにおける相殺制御指令ＡＣＮに従って、信号ＵＡＤに対して施されている特定音場補正を相殺して、信号ＡＣＤを生成する。ここで、信号ＡＣＤには、Ｌ〜ＳＲに対応する個別信号ＡＣＤL〜ＡＣＤSRが含まれている。この補正相殺部３１０は、図７に示されるように、周波数特性補正相殺部３１１と、同期補正相殺部３１２と、音量補正相殺部３１３とを備えている。【００４４】
上記の周波数特性補正相殺部３１１は、受信処理部１１１からの信号ＵＡＤを受ける。そして、周波数特性補正相殺部３１１は、相殺制御指令ＡＣＮにおける周波数特性補正相殺指令ＣＦＣに従って、信号ＵＡＤにおける個別信号ＵＡＤL〜ＵＡＤSRのそれぞれの周波数特性を補正することにより、特定音場補正処理における周波数特性補正を相殺した個別信号ＣＦＤL〜ＣＦＤSRを含む信号ＣＦＤを生成する。こうして生成された信号ＣＦＤは、同期補正相殺部３１２へ送られる。【００４５】
なお、周波数特性補正相殺部３１１は、個別信号ＵＡＤL〜ＵＡＤSRごとに用意された、例えばイコライザ手段等の個別周波数特性補正手段を備えて構成される。また、周波数特性補正相殺指令ＣＦＣは、個別信号ＵＡＤL〜ＵＡＤSRのそれぞれに対応する個別周波数特性補正相殺指令ＣＦＣL〜ＣＦＣSRを含むようになっている。【００４６】
上記の同期補正相殺部３１２は、周波数特性補正相殺部３１１からの信号ＣＦＤを受ける。そして、同期補正相殺部３１２は、相殺制御指令ＡＣＮにおける同期補正相殺指令ＣＤＣに従って、信号ＣＦＤにおける個別信号ＣＦＤL〜ＣＦＤSRのそれぞれを遅延させる補正をすることにより、特定音場補正処理における同期補正を相殺した個別信号ＣＤＤL〜ＣＤＤSRを含む信号ＣＤＤを生成する。こうして生成された信号ＣＤＤは、音量補正相殺部３１３へ送られる。【００４７】
なお、同期補正相殺部３１２は、個別信号ＣＦＤL〜ＣＦＤSRごとに用意された個別可変遅延手段を備えて構成される。また、同期補正相殺指令ＣＤＣは、個別信号ＣＦＤL〜ＣＦＤSRのそれぞれに対応する個別同期補正相殺指令ＣＤＣL〜ＣＤＣSRを含むようになっている。【００４８】
上記の音量補正相殺部３１３は、同期補正相殺部３１２からの信号ＣＤＤを受ける。そして、音量補正相殺部３１３は、信号ＣＤＤにおける個別信号ＣＤＤL〜ＣＤＤSRのそれぞれの音量を、相殺制御指令ＡＣＮにおける音量補正相殺指令ＣＶＣに従って音量補正をすることにより、特定音場補正処理における音量バランス補正を相殺した個別信号ＡＣＤL〜ＡＣＤSRを含む信号ＡＣＤを生成する。こうして生成された信号ＡＣＤは、信号選択部３２０へ送られる。【００４９】
なお、音量補正相殺部３１３は、個別信号ＣＤＤL〜ＣＤＤSRごとに用意された、例えば可変減衰手段等の個別音量補正手段を備えて構成される。また、音量補正相殺指令ＣＶＣは、個別信号ＣＤＤL〜ＣＤＤSRのそれぞれに対応する個別音量補正相殺指令ＣＶＣL〜ＣＶＣSRを含むようになっている。【００５０】
図６に戻り、上記の信号選択部３２０は、補正相殺部３１０からの信号ＡＣＤ、及び、受信処理部１１１からの信号ＮＤ１，ＮＤ２を受ける。そして、信号選択部３２０は、再生生成指令ＲＧＡにおける信号選択指令ＳＬ２に従って、信号ＡＣＤ，ＮＤ１，ＮＤ２のいずれか一つを選択し、信号ＳＮＤとして補正処理部３３０へ送る。ここで、信号ＳＮＤには、Ｌ〜ＳＲチャンネルに対応する個別信号ＳＮＤL〜ＳＮＤSRが含まれている。【００５１】
上記の補正処理部３３０は、信号選択部３２０からの信号ＳＮＤを受ける。そして、補正処理部３３０は、再生生成指令ＲＧＡにおける補正制御指令ＡＰＣに従って、信号ＳＮＤに対して音場補正処理を施す。この補正処理部３３０は、図８に示されるように、周波数特性補正部３３１と、遅延補正部３３２と、音量補正部３３３とを備えている。【００５２】
上記の周波数特性補正部３３１は、信号選択部３２０からの信号ＳＮＤを受ける。そして、周波数特性補正部３３１は、信号ＳＮＤにおける個別信号ＳＮＤL〜ＳＮＤSRのそれぞれの周波数特性を、補正制御指令ＡＰＣにおける周波数特性補正指令ＡＦＣに従って補正した個別信号ＦＣＤL〜ＦＣＤSRを含む信号ＦＣＤを生成する。こうして生成された信号ＦＣＤは、遅延補正部３３２へ送られる。【００５３】
なお、周波数特性補正部３３１は、個別信号ＳＮＤL〜ＳＮＤSRごとに用意された、例えばイコライザ手段等の個別周波数特性補正手段を備えて構成される。また、周波数特性補正指令ＡＦＣは、個別信号ＳＮＤL〜ＳＮＤSRのそれぞれに対応する個別周波数特性補正指令ＡＦＣL〜ＡＦＣSRを含むようになっている。【００５４】
上記の遅延補正部３３２は、周波数特性補正部３３１からの信号ＦＣＤを受ける。そして、遅延補正部３３２は、信号ＦＣＤにおける個別信号ＦＣＤL〜ＦＣＤSRのそれぞれを、補正制御指令ＡＰＣにおける遅延補正指令ＡＬＣに従って遅延させた個別信号ＤＣＤL〜ＤＣＤSRを含む信号ＤＣＤを生成する。こうして生成された信号ＤＣＤは、音量補正部３３３へ送られる。【００５５】
なお、遅延補正部３３２は、個別信号ＦＣＤL〜ＦＣＤSRごとに用意された個別可変遅延手段を備えて構成される。また、遅延補正指令ＡＬＣは、個別信号ＦＣＤL〜ＦＣＤSRのそれぞれに対応する個別遅延補正指令ＡＬＣL〜ＡＬＣSRを含むようになっている。【００５６】
上記の音量補正部３３３は、遅延補正部３３２からの信号ＤＣＤを受ける。そして、音量補正部３３３は、信号ＤＣＤにおける個別信号ＤＣＤL〜ＤＣＤSRのそれぞれの音量を、補正制御指令ＡＰＣにおける音量補正指令ＡＶＣに従って補正した個別信号ＡＰＤL〜ＡＰＤSRを含む信号ＡＰＤを生成する。こうして生成された信号ＡＰＤは、信号選択部２４３へ送られる。【００５７】
なお、音量補正部３３３は、個別信号ＤＣＤL〜ＤＣＤSRごとに用意された、例えば可変減衰手段等の個別音量補正手段を備えて構成される。また、音量補正指令ＡＶＣは、個別信号ＤＣＤL〜ＤＣＤSRのそれぞれに対応する個別音量補正指令ＡＶＣL〜ＡＶＣSRを含むようになっている。【００５８】
図５に戻り、上記のテスト音声発生部２４２は、音場空間ＡＳＰに対応する適正音場補正処理のための計測に利用されるテスト音声データを発生する。このテスト音声発生部２４２は、生成制御指令ＧＣＡにおけるテスト音声発生指令ＴＳＧで指定された種類のテスト音声データを発生する。ここで、テスト音声発生部２４２は、テスト音声データとして、周波数特性補正及び音量バランス補正のための計測に用いられる例えばピンクノイズ音声データ、並びに同期補正処理のための計測に用いられる例えばパルス音声データを発生できるようになっている。テスト音声発生部２４２において発生されたテスト音声データは、テスト音声データ信号ＴＳＤとして信号選択部２４３へ向けて送られる。【００５９】
上記の信号選択部２４３は、図９に示されるように、４個のスイッチ素子２４５L〜２４５SRを備えている。各スイッチ素子２４５L〜２４５SRは、入力端子としてＡ端子及びＢ端子を有するとともに、出力端子としてＣ端子を有している。各スイッチ素子２４５j（ｊ＝Ｌ〜ＳＲ）では、Ａ端子で再生音声データ生成部２４１Ａからの信号ＡＰＤにおける個別信号ＡＰＤjを受けるとともに、Ｂ端子でテスト音声データ信号ＴＳＤを受ける。そして、制御処理部１１９Ａからの信号選択指令ＳＬ１における個別選択指令ＳＬ１jに従って、Ａ端子とＣ端子とを導通したり、Ｂ端子とＣ端子とを導通したり、更に、Ａ端子及びＢ端子のいずれともＣ端子を導通しなかったりする。スイッチ素子２４５jのＣ端子から出力された個別信号（無信号を含む）ＡＯＤjを含む信号ＡＯＤがＤＡ変換部１１５へ送られる。【００６０】
図３に戻り、上記のＤＡ変換部１１５は、４個のＤＡ変換器を備えて構成される。このＤＡ変換部１１５は、出力音声データ生成部１１４Ａからの信号ＡＯＤを受ける。そして、ＤＡ変換部１１５は、信号ＡＯＤに含まれる個別信号ＡＯＤL〜ＡＯＤSRのそれぞれをＤＡ変換して、アナログ形式の信号ＡＣＳを生成する。こうして生成された信号ＡＣＳは、増幅部１１６へ送られる。なお、信号ＡＣＳには、個別信号ＡＯＤj（ｊ＝Ｌ〜ＳＲ）がＤＡ変換された個別信号ＡＣＳjが含まれている。【００６１】
上記の増幅部１１６は、４個のパワー増幅手段を備えて構成される。この増幅部１１６は、ＤＡ変換部１１５からの信号ＡＣＳを受ける。そして、増幅部１１６は、信号ＡＣＳに含まれる個別信号ＡＣＳL〜ＡＣＳSRのそれぞれをパワー増幅して、出力音声信号ＡＯＳを生成する。こうして生成された出力音声信号ＡＯＳにおける個別出力音声信号ＡＯＳj（ｊ＝Ｌ〜ＳＲ）が、スピーカユニット９１０jへ送られる。【００６２】
上記の処理制御部１１９Ａは、様々な処理を行って、音響信号処理装置１００Ａの動作を制御する。この処理制御部１１９Ａは、図１０に示されるように、計測手段としての補正計測部２９１と、取得手段としての適正補正取得部２９２と、補正制御部２９５Ａとを備えている。【００６３】
上記の補正計測部２９１は、補正制御部２９５Ａによる制御のもとで、音源装置９２０0における特定音場補正処理の態様を計測する。この計測の際には、計測用記録媒体に記録された計測用音声コンテンツが使用される。そして、補正計測部２９１は、音響信号ＵＡＳが受信処理部１１１においてＡＤ変換された信号ＵＡＤを解析して、特定音場補正処理に含まれる周波数特性補正処理、同期補正処理及び音量バランス補正処理の態様を計測するようになっている。補正計測部２９１による計測結果である補正計測結果ＡＭＲは、補正制御部２９５Ａに報告される。【００６４】
ここで、「周波数特性補正処理」とは、原音響信号におけるＬ〜ＳＲチャンネルに対応する個別音響信号のそれぞれに対して施された周波数特性の補正処理をいう。また、「同期補正処理」とは、スピーカユニット９１０L〜９１０SRのそれぞれからの音声出力タイミングの補正処理をいう。また、「音量バランス補正処理」とは、スピーカユニット９１０L〜９１０SRのそれぞれからの出力音量に関するスピーカユニット間におけるバランスの補正処理をいう。なお、以下の説明においても、同様の意味で、「周波数特性補正処理」、「同期補正処理」及び「音量バランス補正処理」の用語を用いるものとする。【００６５】
本第１実施形態では、特定音場補正処理における同期補正処理の態様の計測に際しては、図１１に示されるように、計測用音声コンテンツとして、Ｌ〜ＳＲチャンネルに対応して周期ＴPで同時に発生するパルス状の音が使用される。こうした同期計測用の音声コンテンツに対応する原音響信号に対して、音源装置９２０0において音場補正処理が施されると、当該音場補正処理における同期補正処理の結果として、例えば、図１２に示されるような、個別音響信号ＵＡＳL〜ＵＡＳSRを含む音響信号ＵＡＳが、制御ユニット１１０Ａに供給される。【００６６】
ここで、周期ＴPとしては、音源装置９２０0における同期補正処理により個別音響信号ＵＡＳL〜ＵＡＳSRに付与されている遅延時間差の最大値である最大遅延時間差ＴDMとして想定されている想定最大時間差ＴMMの２倍よりも長い時間とされている。また、補正計測部２９１は、個別音響信号ＵＡＳL〜ＵＡＳSRのいずれかについて最初にパルスを検出した後、時間ＴP／２が経過した後の個別音響信号ＵＡＳL〜ＵＡＳSRにおけるパルスを解析対象として、音源装置９２０0における同期補正処理の態様を計測する。このため、同期補正処理の計測用の音響信号ＵＡＳの発生タイミングと、補正計測部２９１による信号ＵＡＤの収集タイミングとがずれてしまった場合であっても、解析の対象となるパルスは、当該同期補正処理による遅延時間の小さい順序で検出されるので、補正計測部２９１は、当該同期補正の態様を正しく計測することができる。【００６７】
周期ＴP及び想定最大時間差ＴMMは、正しくかつ迅速な同期補正処理の態様を計測するとの観点から、実験、シミュレーション、経験等に基づいて予め定められる。【００６８】
一方、周波数特性補正処理及び音量バランス補正処理の態様の計測に際しては、本実施形態では、計測用音声コンテンツとしてピンクノイズ音の継続音が使用されるようになっている。【００６９】
図１０に戻り、上記の適正補正取得部２９２は、補正制御部２９５Ａによる制御のもとで、音場空間ＡＳＰ（図２参照）に応じた適正音場補正処理の態様を取得する。この適正補正取得部２９２は、適正音場補正処理に含まれる周波数特性補正処理、同期補正処理及び音量バランス補正処理の態様を取得するようになっている。【００７０】
かかる適正音場補正処理の態様の取得に際して、適正補正取得部２９２は、テスト音声の種類及びテスト音声を出力するスピーカユニットの種類を指定したテスト音声出力要求ＴＳＱを所定の順序で順次補正制御部２９５Ａへ送る。そして、適正補正取得部２９２は、指定されたスピーカユニットから出力されたテスト音声の集音ユニット１４０による集音結果データＡＳＤに基づいて、適正音場補正処理の態様を取得する。適正補正取得部２９２による取得結果である適正補正取得結果ＡＣＲは、補正制御部２９５Ａに報告される。【００７１】
なお、本第１実施形態では、適正音場補正処理における同期補正の態様の取得に際しては、適正補正取得部２９２は、テスト音声データの種類としてパルス音声データを指定するようになっている。また、適正音場補正処理における周波数特性補正及び音量バランス補正の態様の取得に際しては、適正補正取得部２９２は、テスト音声データの種類としてピンクノイズ音声データを指定するようになっている。【００７２】
また、本第１実施形態では、適正補正取得部２９２は、適正音場補正処理における周波数特性補正処理、同期補正処理及び音量バランス補正処理の３種の個別音場補正処理の態様を、所定の順序で、自動的に取得するようになっている。【００７３】
上記の補正制御部２９５Ａは、操作入力ユニット１６０からの操作入力データＩＰＤとして受けた利用者の操作入力に対応した制御処理を行う。この補正制御部２９５Ａは、利用者が再生出力する音声に対応する音響信号の種類の指定を操作入力ユニット１６０に入力すると、指定された音響信号に基づく音声がスピーカユニット９１０L〜９１０SRから出力されるために必要な信号選択指定ＳＬ１，ＳＬ２を信号選択部２４３（図５参照），３２０（図６参照）へ送る。【００７４】
例えば、利用者により音響信号ＵＡＳが指定されると、補正制御部２９５Ａは、信号ＡＰＤを選択すべき旨を、信号選択指定ＳＬ１として信号選択部２４３へ送るとともに、信号ＡＣＤを選択すべき旨を、信号選択指定ＳＬ２として信号選択部３２０へ送る。また、利用者により音響信号ＮＡＳが指定されると、補正制御部２９５は、信号ＡＰＤを選択すべき旨を、信号選択指定ＳＬ１として信号選択部２４３へ送るとともに、信号ＮＤ１を選択すべき旨を信号選択指定ＳＬ２として信号選択部３２０へ送る。また、利用者により音響信号ＮＡＤが指定されると、補正制御部２９５Ａは、信号ＡＰＤを選択すべき旨を、信号選択指定ＳＬ１として信号選択部２４３へ送るとともに、信号ＮＤ２を選択すべき旨を信号選択指定ＳＬ２として信号選択部３２０へ送る。【００７５】
また、補正制御部２９５Ａは、利用者が音源装置９２０0による音場補正処理の態様の計測指令を操作入力ユニット１６０に入力した場合には、補正計測部２９１へ計測開始指令を計測制御信号ＡＭＱとして送る。なお、本実施形態では、利用者が、計測対象の個別補正処理ごとに、対応する音声コンテンツに基づく音響信号ＵＡＳの生成を音源装置９２０0に行わせた後に、操作入力ユニット１６０に、計測対象の補正処理の種類を入力するようになっている。そして、個別補正処理に関する計測が終了するごとに、計測が終了した個別補正処理を示した補正計測結果ＡＭＲが、補正制御部２９５Ａに報告されるようになっている。【００７６】
また、補正制御部２９５Ａは、補正計測部２９１から個別補正処理の計測結果として補正計測結果ＡＭＲを受けると、当該補正計測結果ＡＭＲに基づいて、計測された個別補正処理の態様を相殺するために必要な周波数特性補正相殺指令ＣＦＣ、同期補正相殺指令ＣＤＣ又は音量補正相殺指令ＣＶＣを生成する。こうして生成された周波数特性補正相殺指令ＣＦＣ、同期補正相殺指令ＣＤＣ又は音量補正相殺指令ＣＶＣが、相殺制御指令ＡＣＮとして、補正相殺部３１０へ送られる（図７参照）。そして、当該個別補正処理の種類と、計測が終了した旨とを表示ユニット１５０の表示デバイスに表示させる。【００７７】
また、補正制御部２９５Ａは、利用者が適正音場補正処理の態様の取得指令を操作入力ユニット１６０に入力した場合には、適正補正取得部２９２へ取得開始指令を取得制御信号ＡＣＱとして送る。この取得開始指令を受けた適正補正取得部２９２からのテスト音声出力要求ＴＳＱを受けると、補正制御部２９５Ａは、まず、テスト音声出力要求ＴＳＱで指定されたスピーカユニットからテスト音声を出力するための信号選択指定ＳＬ１を生成し、信号選択部２４３へ送る。引き続き、補正制御部２９５Ａは、テスト音声出力要求ＴＳＱで指定された種類のテスト音声データを指定したテスト音声発生指令ＴＳＧを生成し、テスト音声発生部２４２へ送る。【００７８】
また、補正制御部２９５Ａは、適正補正取得部２９２から適正補正取得結果ＡＣＲを受けると、当該適正補正取得結果ＡＣＲに基づいて、適正音場補正処理を行うために必要な周波数特性補正指令ＡＦＣ、遅延補正指令ＡＬＣ及び音量補正指令ＡＶＣを含む補正制御指令ＡＰＣを生成する。こうして生成された補正制御指令ＡＰＣが、補正処理部３３０へ送られる（図８参照）。そして、補正制御部２９５Ａは、適正音場補正処理の態様の取得が終了した旨を表示ユニット１５０の表示デバイスに表示させる。【００７９】
＜動作＞
次に、上記のように構成された音響信号処理装置１００Ａの動作について、主に処理制御部１１９Ａにおける処理に着目する。【００８０】
《特定音場補正処理の態様の計測及び補正相殺部３１０の設定》
まず、音源装置９２０0による特定音場補正処理の態様の計測及び補正相殺部３１０の設定の処理について説明する。【００８１】
この処理では、図１３に示されるように、ステップＳ１１において、処理制御部１１９Ａの補正制御部２９５Ａが、操作入力ユニット１６０からの計測指令を受信したか否かを判定する。この判定が否定的であった場合（ステップＳ１１：Ｎ）には、ステップＳ１１の処理が繰り返される。【００８２】
この状態で、利用者が操作入力ユニット１６０を利用して、音源装置９２０0に、計測対象となる個別補正処理に対応する音声コンテンツに基づく音響信号ＵＡＳの生成を開始させる。引き続き、利用者が、最初の計測対象となる個別補正処理を指定した計測指令を操作入力ユニット１６０に入力すると、操作入力データＩＰＤとして、その旨が補正制御部２９５Ａに報告される。【００８３】
この報告を受けると、ステップＳ１１における判定の結果が肯定的となり（ステップＳ１１：Ｙ）、処理がステップＳ１２へ進む。このステップＳ１２では、補正制御部２９５Ａが、利用者による計測指令において指定された個別計測処理を指定した計測開始指令を、計測制御信号ＡＭＱとして補正計測部２９１へ送る。【００８４】
引き続き、ステップＳ１３において、補正計測部２９１が、計測開始指令において指定された個別補正処理の態様を計測する。この計測に際し、補正計測部２９１は、受信処理部１１１からの信号ＵＡＤにおける個別信号ＵＡＤL〜ＵＡＤSRの信号レベルを所定時間にわたって収集する。そして、補正計測部２９１は、収集結果を解析して、当該個別補正処理の態様を計測する。【００８５】
ここで、計測開始指令において指定された個別補正処理が周波数特性補正処理である場合には、補正計測部２９１は、まず、収集結果に基づいて、個別信号ＵＡＤL〜ＵＡＤSRごとに、信号レベルの周波数分布を算出する。そして、補正計測部２９１は、周波数分布の算出結果を解析して、周波数特性補正処理の態様を計測する。この計測結果は、補正計測結果ＡＭＲとして、補正制御部２９５Ａに報告される。【００８６】
また、計測開始指令において指定された個別補正処理が同期補正処理である場合には、補正計測部２９１は、まず、収集を開始して、個別信号ＵＡＤL〜ＵＡＤSRのいずれかが最初に所定レベル以上である有信号状態になったタイミングを特定する。そして、補正計測部２９１は、その特定されたタイミングから時間ＴP／２が経過した後において、個別信号ＵＡＤL〜ＵＡＤSRのそれぞれが有信号状態となるタイミングを特定する。その結果に基づいて、補正計測部２９１は、同期補正処理の態様を計測する。この計測結果は、補正計測結果ＡＭＲとして、補正制御部２９５Ａに報告される。【００８７】
また、計測開始指令において指定された個別補正処理が音量バランス補正処理である場合には、補正計測部２９１は、収集結果を解析して、個別信号ＵＡＤL〜ＵＡＤSRごとの音量補正の態様を計測する。この計測結果は、補正計測結果ＡＭＲとして、補正制御部２９５Ａに報告される。【００８８】
次に、ステップＳ１４において、補正計測結果ＡＭＲの報告を受けた補正制御部２９５Ａが、補正計測結果ＡＭＲに基づいて、補正相殺部３１０において補正計測結果ＡＭＲに対応する態様による個別補正処理を相殺するための設定値を算出する。例えば、周波数特性補正処理の態様に関する補正計測結果ＡＭＲを受けた場合には、補正制御部２９５Ａは、補正相殺部３１０における周波数特性補正相殺部３１１に設定すべき設定値を算出する。また、同期補正処理の態様に関する補正計測結果ＡＭＲを受けた場合には、補正制御部２９５Ａは、補正相殺部３１０における同期補正相殺部３１２に設定すべき設定値を算出する。また、音量バランス補正処理の態様に関する補正計測結果ＡＭＲを受けた場合には、補正制御部２９５Ａは、補正相殺部３１０における音量補正相殺部３１３に設定すべき設定値を算出する。【００８９】
引き続き、ステップ１５において、補正制御部２９５Ａが、ステップＳ１４における設定値の算出結果を、周波数特性補正相殺部３１１、同期補正相殺部３１２及び音量補正相殺部３１３の内の該当するものへ送る。ここで、周波数特性補正相殺部３１１へは、設定値を指定した周波数特性補正相殺指令ＣＦＣが送られる。また、同期補正相殺部３１２へは、設定値を指定した同期補正相殺指令ＣＤＣが送られる。また、音量補正相殺部３１３へは、設定値を指定した音量補正相殺指令ＣＶＣが送られる。この結果、補正相殺部３１０においては、計測された個別補正処理が相殺される。【００９０】
こうして、個別計測処理の態様の計測と、計測結果に基づく個別補正処理の態様の補正処理部３３０への設定が終了すると、補正制御部２９５Ａが、その旨を表示ユニット１５０の表示デバイスに表示させる。【００９１】
この後処理はステップＳ１１へ戻る。そして、上記のステップＳ１１〜Ｓ１５までの処理が繰り返される。【００９２】
《適正音場補正処理の態様の計測及び補正処理部３３０の設定》
次に、適正音場補正処理の態様の計測及び補正処理部３３０の設定の処理について説明する。【００９３】
この処理では、図１４に示されるように、ステップＳ２１において、処理制御部１１９Ａの補正制御部２９５Ａが、操作入力ユニット１６０からの取得指令を受信したか否かを判定する。この判定が否定的であった場合（ステップＳ２１：Ｎ）には、ステップＳ２１の処理が繰り返される。【００９４】
この状態で、利用者が操作入力ユニット１６０を利用して、取得指令を操作入力ユニット１６０に入力すると、操作入力データＩＰＤとして、その旨が補正制御部２９５Ａに報告される。この報告を受けると、ステップＳ２１における判定の結果が肯定的となり（ステップＳ２１：Ｙ）、処理がステップＳ２２へ進む。このステップＳ２２では、補正制御部２９５Ａが、適正音場補正処理の態様の取得指令を、取得制御信号ＡＣＱとして補正計測部２９１へ送る。【００９５】
引き続き、ステップＳ２３において、適正音場補正処理の態様の取得処理が行われる。かかる取得処理では、適正補正取得部２９２は、テスト音声の種類及びテスト音声を出力するスピーカユニットの種類を指定したテスト音声出力要求ＴＳＱを、所定の順序で、順次補正制御部２９５Ａへ送る。テスト音声出力要求ＴＳＱを受けるたびに、補正制御部２９５Ａは、テスト音声出力要求ＴＳＱで指定された種類のスピーカユニットから、テスト音声出力要求ＴＳＱで指定された種類のテスト音声を出力するための選択信号指定ＳＬ１及びテスト音声発生指令ＴＳＧを生成し、信号選択部２４３及びテスト音声発生部２４２へ送る。【００９６】
この結果、テスト音声出力要求ＴＳＱで指定された種類のスピーカユニットから、テスト音声出力要求ＴＳＱで指定された種類のテスト音声が出力される。こうしてテスト音声出力要求ＴＳＱの発行のたびに出力された音声の集音ユニット１４０による集音結果を、適正補正取得部２９２が収集する。そして、適正補正取得部２９２は、収集結果を解析して、適正音場補正処理の態様を取得する。この取得結果は、適正補正取得結果ＡＣＲとして、補正制御部２９５Ａに報告される。【００９７】
次に、ステップＳ２４において、適正補正取得結果ＡＣＲの報告を受けた補正制御部２９５Ａが、適正補正取得結果ＡＣＲに基づいて、補正処理部３３０において適正音場補正を行うための設定値を算出する。引き続き、ステップ２５において、補正制御部２９５Ａが、ステップＳ２４における設定値の算出結果を、補正処理部３３０へ送る。この結果、補正処理部３３０において、信号ＳＮＤに対して適正音場補正処理が施されるようになる。【００９８】
こうして、適正音場補正処理の態様の取得と、取得結果に基づく補正処理部３３０の設定が終了すると、補正制御部２９５Ａが、その旨を表示ユニット１５０の表示デバイスに表示させる。【００９９】
この後処理はステップＳ２１へ戻る。そして、上記のステップＳ２１〜Ｓ２５までの処理が繰り返される。
《再生音声の選択に対応する処理》
次に、スピーカユニット９１０L〜９１０SRから再生出力する音声の選択処理について説明する。【０１００】
利用者がスピーカユニット９１０L〜９１０SRから再生出力する音声に対応する音響信号の種類の指定を操作入力ユニット１６０に入力すると、その旨が操作入力データＩＰＤとして補正制御部２９５Ａに報告される。この報告を受けた補正制御部２９５Ａは、指定された音響信号に基づく音声がスピーカユニット９１０L〜９１０SRから出力されるために必要な信号選択指定ＳＬ１，ＳＬ２を信号選択部２４３，３２０へ送る。【０１０１】
ここで、音響信号ＵＡＳが指定されると、補正制御部２９５Ａは、信号ＡＰＤを選択すべき旨を、信号選択指定ＳＬ１として信号選択部２４３へ送るとともに、信号ＡＣＤを選択すべき旨を、信号選択指定ＳＬ２として信号選択部３２０へ送る。この結果、上記の特定音場補正処理の態様の計測処理、補正相殺部３１０への特定音場補正処理の相殺設定、適正音場補正処理の態様の取得処理及び補正処理部３３０への設定の処理が終了した後には、音響信号ＵＡＳの原音響信号に対して適正音場補正処理が施された状態の出力音声信号ＡＯＳL〜ＡＯＳSRが、スピーカユニット９１０L〜９１０SRに供給される。【０１０２】
また、音響信号ＮＡＳが指定されると、補正制御部２９５Ａは、信号ＡＰＤを選択すべき旨を、信号選択指定ＳＬ１として信号選択部２４３へ送るとともに、信号ＮＤ１を選択すべき旨を信号選択指定ＳＬ２として信号選択部３２０へ送る。この結果、上記の適正音場補正処理の態様の取得処理及び補正処理部３３０への設定の処理が終了した後には、音響信号ＮＡＳに対して適正音場補正処理が施された状態の出力音声信号ＡＯＳL〜ＡＯＳSRが、スピーカユニット９１０L〜９１０SRに供給される。【０１０３】
また、音響信号ＮＡＤが指定されると、補正制御部２９５Ａは、信号ＡＰＤを選択すべき旨を、信号選択指定ＳＬ１として信号選択部２４３へ送るとともに、信号ＮＤ２を選択すべき旨を信号選択指定ＳＬ２として信号選択部３２０へ送る。この結果、上記の適正音場補正処理の態様の取得処理及び補正処理部３３０への設定の処理が終了した後には、音響信号ＮＡＤに対して適正音場補正処理が施された状態の出力音声信号ＡＯＳL〜ＡＯＳSRが、スピーカユニット９１０L〜９１０SRに供給される。【０１０４】
以上説明したように、本第１実施形態では、特定の外部機器である音源装置９２０0から受信した音響信号ＵＡＳに施されている特定音場補正処理の態様を処理制御部１１９Ａにおける補正計測部２９１が計測する。この計測結果に基づいて、音響信号ＵＡＳに施されている特定音場補正処理を相殺するための設定が、補正相殺部３１０に対して行われる。【０１０５】
また、実際の音場空間ＡＳＰに応じた適正音場処理の態様を、処理制御部１１９Ａにおける適正補正取得部２９２が取得する。この取得結果に基づいて、適正音場補正処理を信号ＳＮＤに対して施すための設定が、補正処理部３３０に対して行われる。【０１０６】
したがって、音響信号ＵＡＳ，ＮＡＳ，ＮＡＤのいずれが選択されても、適切に音場補正処理が施された状態で、出力音声信号ＡＯＳL〜ＡＯＳSRを、スピーカユニット９１０L〜９１０SRに供給することができる。【０１０７】
また、本第１実施形態では、音源装置９２０0における音場補正処理に含まれる同期補正処理の態様を計測する際には、計測用音声コンテンツとして、Ｌ〜ＳＲチャンネルに対応して周期ＴPで同時に発生するパルス状の音が使用される。ここで、周期ＴPとしては、音源装置９２０0における同期補正処理により個別音響信号ＵＡＳL〜ＵＡＳSRに付与されている遅延時間差の最大値である最大遅延時間差ＴDMとして想定されている想定最大時間差ＴMMの２倍よりも長い時間とされている。このため、最大遅延時間差ＴDMが想定最大時間差ＴMM以下であれば、同期補正処理の計測用の音響信号ＵＡＤの発生タイミングと、補正計測部２９１による信号ＵＡＤの収集タイミングとが当初にずれてしまった場合であっても、補正計測部２９１が信号ＵＡＤの無信号期間が時間ＴP／２以上継続した後における信号ＵＡＤの変化を解析することにより、音源装置９２０0における同期補正処理の態様を正しく計測することができる。【０１０８】
［第２実施形態］
次に、本発明の第２実施形態を、図１５〜図２２を主に参照して説明する。【０１０９】
＜構成＞
図１５には、第２実施形態に係る音響信号処理装置１００Ｂの概略的な構成がブロック図にて示されている。この図１５に示されるように、音響信号処理装置１００Ｂは、上述した第１実施形態の音響信号処理装置１００Ａ（図１参照）と比べて、制御ユニット１１０Ａに代えて制御ユニット１１０Ｂを備える点のみが異なっている。この制御ユニット１１０Ｂは、図１６に示されるように、上述した制御ユニット１１０Ａ（図３参照）と比べて、出力音声データ生成部１１４Ａに代えて出力音声データ生成部１１４Ｂを備えるとともに、処理制御部１１９Ａに代えて処理制御部１１９Ｂを備える点が異なっている。【０１１０】
上記の出力音声データ生成部１１４Ｂは、上述した出力音声データ生成部１１４Ａ（図５）参照と比べて、再生音声データ生成部２４１Ａに代えて、図１７の示されるように構成された再生音声データ生成部２４１Ｂを備える点が異なっている。この再生音声データ生成部２４１Ｂは、上述した再生音声データ生成部２４１Ａ（図６参照）と比べて、補正相殺部３１０を備えず、受信処理部１１１からの信号ＵＡＤが、直接に信号選択部３２０へ送られる点が異なっている。【０１１１】
このため、制御処理部１１９Ｂから再生音声データ生成部２４１Ｂに供給される再生生成指令ＲＧＢは、上述した再生生成指令ＲＧＡと比べて、相殺制御指令ＡＣＮを含んでいない点が異なっている。なお、制御処理部１１９Ｂから出力音声データ生成部１１４Ｂに供給される出力生成指令ＧＣＢ（図１６参照）は、上述した生成制御指令ＧＣＡ（図３，５参照）と比べて、再生生成指令ＲＧＡに代えて再生生成指令ＲＧＢを含んでいる点が異なっている。【０１１２】
上記の処理制御部１１９Ｂは、図１８に示されるように、上述した処理制御部１１９Ａ（図１０参照）と比べて、補正制御部２９５Ａに代えて補正制御部２９５Ｂを備える点、及び、記憶部２９６を更に備える点が異なっている。ここで、記憶部２９６には、図１９に示されるように、相殺パラメータＣＮＰ及び適正パラメータＡＤＰが記憶される。【０１１３】
図１８に戻り、上記の補正制御部２９５Ｂは、操作入力ユニット１６０からの操作入力データＩＰＤとして受けた利用者の操作入力に対応した制御処理を行う。この補正制御部２９５Ｂは、利用者が音源装置９２０0による音場補正処理の態様の計測指令を操作入力ユニット１６０に入力した場合には、補正制御部２９５Ａと同様に、補正計測部２９１へ計測開始指令を計測制御信号ＡＭＱとして送る。【０１１４】
また、補正制御部２９５Ｂは、利用者が適正音場補正処理の態様の取得指令を操作入力ユニット１６０に入力した場合には、補正制御部２９５Ａと同様に、適正補正取得部２９２へ取得開始指令を取得制御信号ＡＣＱとして送る。そして、この取得開始指令を受けた適正補正取得部２９２からのテスト音声出力要求ＴＳＱを受けると、補正制御部２９５Ｂは、補正制御部２９５Ａと同様に、まず、テスト音声出力要求ＴＳＱで指定されたスピーカユニットからテスト音声を出力するための信号選択指定ＳＬ１を生成し、信号選択部２４３へ送る。引き続き、補正制御部２９５Ｂは、補正制御部２９５Ａと同様に、テスト音声出力要求ＴＳＱで指定された種類のテスト音声データを指定したテスト音声発生指令ＴＳＧを生成し、テスト音声発生部２４２へ送る。【０１１５】
また、補正制御部２９５Ｂは、補正計測部２９１から個別補正処理の計測結果として補正計測結果ＡＭＲを受けると、当該補正計測結果ＡＭＲに基づいて、計測された個別補正処理の態様を相殺するために必要な相殺パラメータを算出する。そして、補正制御部２９５Ｂは、個別相殺パラメータの算出結果を記憶部２９６に格納することにより、記憶部２９６内の相殺パラメータＣＮＰを更新する。そして、補正制御部２９５Ｂは、当該個別補正処理の種類と、計測が終了した旨とを表示ユニット１５０の表示デバイスに表示させる。【０１１６】
また、補正制御部２９５Ｂは、適正補正取得部２９２から適正補正取得結果ＡＣＲを受けると、当該適正補正取得結果ＡＣＲに基づいて、適正音場補正処理を行うために必要な適正パラメータを算出する。そして、補正制御部２９５Ｂは、適正パラメータの算出結果を記憶部２９６に格納することにより、記憶部２９６内の適正パラメータＡＤＰを更新する。そして、補正制御部２９５Ｂは、適正音場補正処理の態様の取得が終了した旨を表示ユニット１５０の表示デバイスに表示させる。【０１１７】
また、補正制御部２９５Ｂは、利用者がスピーカユニット９１０L〜９１０SRから再生出力する音声に対応する音響信号の種類の指定を操作入力ユニット１６０に入力すると、指定された音響信号に基づく、適切に音場補正処理が施された音声がスピーカユニット９１０L〜９１０SRから出力されるために必要な設定を行う。この設定には、補正制御指令ＡＰＣによる補正処理部３３０の設定と、信号選択指定ＳＬ１，ＳＬ２による信号選択部２４３，３２０の設定が含まれている。【０１１８】
例えば、利用者により音響信号ＵＡＳが指定されると、補正制御部２９５Ｂは、まず、記憶部２９６から相殺パラメータＣＮＰ及び適正パラメータＡＤＰを読み出す。引き続き、補正制御部２９５Ｂは、適正パラメータＡＤＰと相殺パラメータＣＮＰとを加算した差分パラメータを算出する。そして、補正制御部２９５Ｂは、算出された差分パラメータに基づいて、適切に音場補正処理を施すために必要な周波数特性補正指令ＡＦＣ、遅延補正指令ＡＬＣ及び音量補正指令ＡＶＣを含む補正制御指令ＡＰＣを生成する。【０１１９】
こうして生成された補正制御指令ＡＰＣを、補正制御部２９５Ｂが補正処理部３３０へ送る。この後、補正制御部２９５Ｂは、信号ＡＰＤを選択すべき旨を、信号選択指定ＳＬ１として信号選択部２４３へ送るとともに、信号ＡＣＤを選択すべき旨を、信号選択指定ＳＬ２として信号選択部３２０へ送る。【０１２０】
また、利用者により音響信号ＮＡＳが指定されると、補正制御部２９５Ｂは、まず、記憶部２９６から適正パラメータＡＤＰを読み出す。そして、補正制御部２９５Ｂは、適正パラメータに基づいて、適切に音場補正処理を施すために必要な周波数特性補正指令ＡＦＣ、遅延補正指令ＡＬＣ及び音量補正指令ＡＶＣを含む補正制御指令ＡＰＣを生成する。【０１２１】
こうして生成された補正制御指令ＡＰＣを、補正制御部２９５Ｂが補正処理部３３０へ送る。この後、補正制御部２９５Ｂは、信号ＡＰＤを選択すべき旨を、信号選択指定ＳＬ１として信号選択部２４３へ送るとともに、信号ＮＤ１を選択すべき旨を、信号選択指定ＳＬ２として信号選択部３２０へ送る。【０１２２】
また、利用者により音響信号ＮＡＤが指定されると、補正制御部２９５Ｂは、音響信号ＮＡＳが指定された場合と同様に、まず、記憶部２９６から適正パラメータＡＤＰを読み出す。そして、補正制御部２９５Ｂは、適正パラメータに基づいて、適切に音場補正処理を施すために必要な周波数特性補正指令ＡＦＣ、遅延補正指令ＡＬＣ及び音量補正指令ＡＶＣを含む補正制御指令ＡＰＣを生成する。【０１２３】
こうして生成された補正制御指令ＡＰＣを、補正制御部２９５Ｂが補正処理部３３０へ送る。この後、補正制御部２９５Ｂは、信号ＡＰＤを選択すべき旨を、信号選択指定ＳＬ１として信号選択部２４３へ送るとともに、信号ＮＤ２を選択すべき旨を、信号選択指定ＳＬ２として信号選択部３２０へ送る。
示させる。【０１２４】
＜動作＞
次に、上記のように構成された音響信号処理装置１００Ｂの動作について、主に処理制御部１１９Ｂにおける処理に着目する。【０１２５】
《特定音場補正処理の態様の計測》
まず、音源装置９２０0による特定音場補正処理の態様の計測の処理について説明する。【０１２６】
この処理では、図２０に示されるように、ステップＳ３１〜Ｓ３３において、上述した図１３におけるステップＳ１１〜Ｓ１３の場合と同様の処理が行われ、計測指令で指定された特定音場補正処理における個別音場補正処理の態様が計測される。そして、この計測結果が、補正計測結果ＡＭＲとして、補正制御部２９５Ｂに報告される。【０１２７】
次に、ステップＳ３４において、補正計測結果ＡＭＲの報告を受けた補正制御部２９５Ｂが、補正計測結果ＡＭＲに基づいて、計測された個別補正処理の態様を相殺するために必要な相殺パラメータを算出する。引き続き、ステップＳ３５において、補正制御部２９５Ｂが、個別相殺パラメータの算出結果を記憶部２９６に格納することにより、記憶部２９６内の相殺パラメータＣＮＰを更新する。そして、補正制御部２９５Ｂは、当該個別補正処理の種類と、計測が終了した旨とを表示ユニット１５０の表示デバイスに表示させる。【０１２８】
この後、処理はステップＳ３１へ戻る。そして、上記のステップＳ３１〜Ｓ３５までの処理が繰り返される。【０１２９】
《適正音場補正処理の態様の取得》
次に、適正音場補正処理の態様の取得処理について説明する。【０１３０】
この処理では、図２１に示されるように、ステップＳ４１〜Ｓ４３において、上述した図１４におけるステップＳ２１〜Ｓ２３の場合と同様の処理が行われ、適正音場補正処理の態様が取得される。そして、この取得結果が、適正補正取得結果ＡＣＲとして、補正制御部２９５Ｂに報告される。【０１３１】
次に、ステップＳ４４において、適正補正取得結果ＡＣＲの報告を受けた補正制御部２９５Ｂが、適正補正取得結果ＡＣＲに基づいて、適正音場補正処理を施すために必要な適正パラメータを算出する。引き続き、ステップＳ４５において、補正制御部２９５Ｂが、適正パラメータの算出結果を記憶部２９６に格納することにより、記憶部２９６内の適正パラメータＡＤＰを更新する。そして、補正制御部２９５Ｂは、適正音場補正処理の態様の取得が終了した旨を表示ユニット１５０の表示デバイスに表示させる。【０１３２】
この後、処理はステップＳ４１へ戻る。そして、上記のステップＳ４１〜Ｓ４５までの処理が繰り返される。【０１３３】
《再生音声の生成》
次に、スピーカユニット９１０L〜９１０SRから再生出力する音声の生成処理について説明する。【０１３４】
この処理では、図２２に示されるように、まず、ステップＳ５１において、処理制御部１１９Ｂの補正制御部２９５Ｂが、操作入力ユニット１６０からの再生音声の選択指令を受信したか否かを判定する。この判定が否定的であった場合（ステップＳ５１：Ｎ）には、ステップＳ５１の処理が繰り返される。【０１３５】
この状態で、利用者が操作入力ユニット１６０を利用して、再生音声の選択指令を操作入力ユニット１６０に入力すると、操作入力データＩＰＤとして、その旨が補正制御部２９５Ｂに報告される。この報告を受けると、ステップＳ５１における判定の結果が肯定的となり（ステップＳ５１：Ｙ）、処理がステップＳ５２へ進む。【０１３６】
ステップＳ５２では、選択された再生音声が音響信号ＵＡＳに対応する音声であるか否かを判定する。この判定の結果が肯定的であった場合（ステップＳ５２：Ｙ）には、処理はステップＳ５３へ進む。このステップＳ５３では、差分パラメータが算出される。かかる差分パラメータの算出に際しては、まず、補正制御部２９５Ｂが、記憶部２９６から相殺パラメータＣＮＰ及び適正パラメータＡＤＰを読み出す。引き続き、補正制御部２９５Ｂが、適正パラメータＡＤＰと相殺パラメータＣＮＰとを加算して、差分パラメータを算出する。【０１３７】
次に、ステップＳ５４において、補正制御部２９５Ｂは、算出された差分パラメータに基づいて、適切に音場補正処理を行うために必要な周波数特性補正指令ＡＦＣ、遅延補正指令ＡＬＣ及び音量補正指令ＡＶＣを含む補正制御指令ＡＰＣを生成する。そして、補正制御部２９５Ｂが、生成された補正制御指令ＡＰＣを補正処理部３３０へ送る。この結果、適正音場補正処理から特定音場補正処理を差し引いた音場補正処理が、補正処理部３３０において実行されるようになる。【０１３８】
一方、ステップＳ５２における判定の結果が否定的であった場合（ステップＳ５２：Ｎ）には、処理はステップＳ５５へ進む。このステップＳ５５では、まず、補正制御部２９５Ｂが、記憶部２９６から適正パラメータＡＤＰを読み出す。そして、補正制御部２９５Ｂが、適正パラメータに基づいて、適切に音場補正処理を行うために必要な周波数特性補正指令ＡＦＣ、遅延補正指令ＡＬＣ及び音量補正指令ＡＶＣを含む補正制御指令ＡＰＣを生成する。そして、補正制御部２９５Ｂが、生成された補正制御指令ＡＰＣを補正処理部３３０へ送る。この結果、適正音場補正処理が、補正処理部３３０において実行されるようになる。【０１３９】
以上のようにして、補正処理部３３０の設定が終了すると、ステップＳ５６において、補正制御部２９５Ｂが、指定された音響信号に基づく音声がスピーカユニット９１０L〜９１０SRから出力されるために必要な信号選択指定ＳＬ１，ＳＬ２を信号選択部２４３，３２０へ送る。【０１４０】
ここで、音響信号ＵＡＳが指定された場合には、補正制御部２９５Ｂが、信号ＡＰＤを選択すべき旨を、信号選択指定ＳＬ１として信号選択部２４３へ送るとともに、信号ＵＡＤを選択すべき旨を、信号選択指定ＳＬ２として信号選択部３２０へ送る。この結果、音響信号ＵＡＳの原音響信号に対して適正音場補正処理が施された状態の出力音声信号ＡＯＳL〜ＡＯＳSRが、スピーカユニット９１０L〜９１０SRに供給される。【０１４１】
また、音響信号ＮＡＳが指定された場合には、補正制御部２９５Ｂが、信号ＡＰＤを選択すべき旨を、信号選択指定ＳＬ１として信号選択部２４３へ送るとともに、信号ＮＤ１を選択すべき旨を信号選択指定ＳＬ２として信号選択部３２０へ送る。この結果、音響信号ＮＡＳに対して適正音場補正処理が施された状態の出力音声信号ＡＯＳL〜ＡＯＳSRが、スピーカユニット９１０L〜９１０SRに供給される。【０１４２】
また、音響信号ＮＡＤが指定された場合には、補正制御部２９５Ｂが、信号ＡＰＤを選択すべき旨を、信号選択指定ＳＬ１として信号選択部２４３へ送るとともに、信号ＮＤ２を選択すべき旨を信号選択指定ＳＬ２として信号選択部３２０へ送る。この結果、音響信号ＮＡＤに対して適正音場補正処理が施された状態の出力音声信号ＡＯＳL〜ＡＯＳSRが、スピーカユニット９１０L〜９１０SRに供給される。【０１４３】
以上説明したように、本第２実施形態では、特定の外部機器である音源装置９２０0から受信した音響信号ＵＡＳに施されている特定音場補正処理の態様を処理制御部１１９Ｂにおける補正計測部２９１が計測する。また、実際の音場空間ＡＳＰに応じた適正音場補正処理の態様を、処理制御部１１９Ｂにおける適正補正取得部２９２が取得する。【０１４４】
そして、特定音場補正処理が施されている音響信号ＵＡＳに対応する音声を再生出力することが選択された場合には、適正音場補正処理から特定音場補正処理を差し引いた態様の音場補正処理を行う設定を補正処理部３３０に対して行う。また。音場補正処理がほどこされていない音響信号ＮＡＳ又は音響信号ＮＡＤに対応する音声を再生出力することが選択された場合には、適正音場補正処理を行う設定を補正処理部３３０に対して行う。【０１４５】
したがって、音響信号ＵＡＳ，ＮＡＳ，ＮＡＤのいずれが選択されても、適切に音場補正処理が施された状態で、出力音声信号ＡＯＳL〜ＡＯＳSRを、スピーカユニット９１０L〜９１０SRに供給することができる。【０１４６】
また、音響信号ＵＡＳに対応する音声を再生出力することが選択された場合には、適正音場補正処理から特定音場補正処理を差し引いた態様の音場補正処理を行うので、特定音場補正処理を相殺する処理を行った後に適正音場補正処理を施す場合と比べて、通常は、実際に音響信号に施す補正量を少なくすることができ、音場補正処理によって生じる音質劣化を抑えることが可能となる。【０１４７】
また、本第２実施形態では、第１実施形態の場合と同様に、音源装置９２０0における音場補正処理に含まれる同期補正処理の態様を計測する際には、計測用音声コンテンツとして、Ｌ〜ＳＲチャンネルに対応して周期ＴPで同時に発生するパルス状の音が使用される。このため、第１実施形態の場合と同様に、補正計測部２９１が信号ＵＡＤの無信号期間が時間ＴP／２以上継続した後における信号ＵＡＤの変化を解析することにより、音源装置９２０0における同期補正処理の態様を正しく計測することができる。【０１４８】
［第３実施形態］
次に、本発明の第３実施形態を、図２３〜図２７を主に参照して説明する。【０１４９】
＜構成＞
図２３には、第３実施形態に係る音響信号処理装置１００Ｃの概略的な構成がブロック図にて示されている。この図２３に示されるように、音響信号処理装置１００Ｃは、上述した第２実施形態の音響信号処理装置１００Ｂ（図１５参照）と比べて、制御ユニット１１０Ｂに代えて制御ユニット１１０Ｃを備える点のみが異なっている。この制御ユニット１１０Ｃは、図２４に示されるように、上述した制御ユニット１１０Ｂ（図１６参照）と比べて、出力音声データ生成部１１４Ｂに代えて出力音声データ生成部１１４Ｃを備えるとともに、処理制御部１１９Ｂに代えて処理制御部１１９Ｃを備える点が異なっている。【０１５０】
上記の出力音声データ生成部１１４Ｃは、上述した出力音声データ生成部１１４Ｂと比べて、再生音声データ生成部２４１Ｂに代えて、図２５に示されるように構成された再生音声データ生成部２４１Ｃを備える点が異なっている。この再生音声データ生成部２４１Ｃは、上述した再生音声データ生成部２４１Ｂ（図１７参照）と比べて、同期補正相殺手段としての同期補正相殺部３１２と、擬似サラウンド処理手段としての擬似サラウンド処理部３２５とを更に備える点が異なっている。【０１５１】
このため、制御処理部１１９Ｃから再生音声データ生成部２４１Ｃに供給される再生生成指令ＲＧＣは、上述した再生生成指令ＲＧＢと比べて、同期補正相殺指令ＣＤＣを更に含む点が異なっている。なお、制御処理部１１９Ｃから出力音声データ生成部１１４Ｃに供給される出力生成指令ＧＣＣ（図２４参照）は、上述した出力生成指令ＧＣＢ（図１６，１８参照）と比べて、再生生成指令ＲＧＢに代えて再生生成指令ＲＧＣを含んでいる点が異なっている。【０１５２】
上記の同期補正相殺部３１２は、第１実施形態の場合と同様に構成されている。本第３実施形態では、同期補正相殺部３１２は、受信処理部１１１からの信号ＵＡＤを受ける。そして、同期補正相殺部３１２は、再生生成指令ＲＧＣにおける同期補正相殺指令ＣＤＣに従って、信号ＵＡＤにおける個別信号ＵＡＤL〜ＵＡＤSRのそれぞれを遅延させる補正をすることにより、特定音場補正処理における同期補正を相殺した個別信号ＣＬＤL〜ＣＬＤSRを含む信号ＣＬＤを生成する。こうして生成された信号ＣＬＤは、信号選択部３２０へ送られる。【０１５３】
上記の擬似サラウンド処理部３２５は、信号選択部３２０から信号ＳＮＤを受ける。そして、擬似サラウンド処理部３２５は、個別信号ＳＮＤL〜ＳＮＤSRの相互間における相関を考慮する擬似サラウンド処理を信号ＳＮＤに対して施す。この擬似サラウンド処理の結果が、信号ＰＳＤとして、補正処理部３３０へ送られる。なお、信号ＰＳＤには、Ｌ〜ＳＲチャンネルに対応する個別信号ＰＳＤL〜ＰＳＤSRが含まれるようになっている。【０１５４】
上記の処理制御部１１９Ｃは、図２６に示されるように、上述した処理制御部１１９Ｂ（図１８参照）と比べて、補正制御部２９５Ｂに代えて補正制御部２９５Ｃを備える点が異なっている。この補正制御部２９５Ｃは、操作入力ユニット１６０からの操作入力データＩＰＤとして受けた利用者の操作入力に対応した制御処理を行う。【０１５５】
この補正制御部２９５Ｃは、利用者が音源装置９２０0による音場補正処理の態様の計測指令を操作入力ユニット１６０に入力した場合には、補正制御部２９５Ｂと同様の処理を行う。また、取得開始指令を受けた適正補正取得部２９２からのテスト音声出力要求ＴＳＱを受けると、補正制御部２９５Ｃは、補正制御部２９５Ｂと同様の処理を行う。【０１５６】
さらに、補正制御部２９５Ｃは、補正計測部２９１から個別補正処理の計測結果として補正計測結果ＡＭＲを受けると、補正制御部２９５Ｂと同様の処理を行う。また、適正補正取得部２９２から適正補正取得結果ＡＣＲを受けると、補正制御部２９５Ｂと同様の処理を行う。【０１５７】
また、補正制御部２９５Ｃは、利用者がスピーカユニット９１０L〜９１０SRから再生出力する音声に対応する音響信号の種類の指定を操作入力ユニット１６０に入力すると、指定された音響信号に基づく、適切に音場補正処理が施された音声がスピーカユニット９１０L〜９１０SRから出力されるために必要な設定を行う。この設定には、同期補正相殺指令ＣＤＣによる同期補正相殺部３１２の設定、補正制御指令ＡＰＣによる補正処理部３３０の設定と、信号選択指定ＳＬ１，ＳＬ２による信号選択部２４３，３２０の設定が含まれている。【０１５８】
例えば、利用者により音響信号ＵＡＳが指定されると、補正制御部２９５Ｃは、まず、記憶部２９６から相殺パラメータＣＮＰ及び適正パラメータＡＤＰを読み出す。引き続き、補正制御部２９５Ｃは、相殺パラメータＣＮＰにおける同期補正相殺パラメータに基づいて、同期補正相殺指令ＣＤＣを生成し、同期補正相殺部３１２へ送る。【０１５９】
また、補正制御部２９５Ｃは、適正パラメータＡＤＰにおける同期補正パラメータに基づいて、遅延補正指令ＡＬＣを生成する。補正制御部２９５Ｃは、適正パラメータＡＤＰにおける周波数特性補正パラメータ及び音量補正パラメータと、相殺パラメータＣＮＰにおける周波数特性補正相殺パラメータ及び音量補正相殺パラメータとを加算して、差分パラメータを算出する。そして、補正制御部２９５Ｃは、算出された差分パラメータに基づいて、周波数特性補正指令ＡＦＣ及び音量補正指令ＡＶＣを生成する。【０１６０】
こうして生成された周波数特性補正指令ＡＦＣ、遅延補正指令ＡＬＣ及び音量補正指令ＡＶＣを含む補正制御指令ＡＰＣを含む補正制御指令ＡＰＣを、補正制御部２９５Ｃが補正処理部３３０へ送る。この後、補正制御部２９５Ｃは、信号ＡＰＤを選択すべき旨を、信号選択指定ＳＬ１として信号選択部２４３へ送るとともに、信号ＣＬＤを選択すべき旨を、信号選択指定ＳＬ２として信号選択部３２０へ送る。【０１６１】
また、利用者により音響信号ＮＡＳ又は音響信号ＮＡＤが指定された場合には、補正制御部２９５Ｃは、上述の補正制御部２９５Ｂの場合と同様の処理を行う。【０１６２】
＜動作＞
次に、上記のように構成された音響信号処理装置１００Ｃの動作について、主に処理制御部１１９Ｃにおける処理に着目する。【０１６３】
《特定音場補正処理の態様の計測及び適正音場補正処理の態様の取得》
本第３実施形態では、特定音場補正処理の態様の計測処理が、上述した第２実施形態の場合と同様に行われる（図２０参照）。また、本第３実施形態では、適正音場補正処理の態様の取得処理が、上述した第２実施形態の場合と同様に行われる（図２１参照）。【０１６４】
《再生音声の生成》
次に、スピーカユニット９１０L〜９１０SRから再生出力する音声の生成処理について説明する。【０１６５】
この処理では、図２７に示されるように、まず、ステップＳ６１において、処理制御部１１９Ｃの補正制御部２９５Ｃが、操作入力ユニット１６０からの再生音声の選択指令を受信したか否かを判定する。この判定が否定的であった場合（ステップＳ６１：Ｎ）には、ステップＳ６１の処理が繰り返される。【０１６６】
この状態で、利用者が操作入力ユニット１６０を利用して、再生音声の選択指令を操作入力ユニット１６０に入力すると、操作入力データＩＰＤとして、その旨が補正制御部２９５Ｃに報告される。この報告を受けると、ステップＳ６１における判定の結果が肯定的となり（ステップＳ６１：Ｙ）、処理がステップＳ６２へ進む。【０１６７】
ステップＳ６２では、補正制御部２９５Ｃが、選択された再生音声が音響信号ＵＡＳに対応する音声であるか否かを判定する。この判定の結果が肯定的であった場合（ステップＳ６２：Ｙ）には、処理はステップＳ６３へ進む。このステップＳ６３では、まず、補正制御部２９５Ｃが、記憶部２９６から相殺パラメータＣＮＰを読み出す。引き続き、補正制御部２９５Ｃは、相殺パラメータＣＮＰにおける同期補正相殺パラメータに基づいて、同期補正相殺指令ＣＤＣを生成し、同期補正相殺部３１２へ送る。【０１６８】
次に、ステップＳ６４において、まず、補正制御部２９５Ｃが、記憶部２９６から適正パラメータＡＤＰを更に読み出す。引き続き、補正制御部２９５Ｃが、適正パラメータＡＤＰにおける周波数特性補正パラメータ及び音量補正パラメータと、相殺パラメータＣＮＰにおける周波数特性補正相殺パラメータ及び音量補正相殺パラメータとを加算して、差分パラメータを算出する。【０１６９】
次いで、ステップＳ６５において、まず、補正制御部２９５Ｃが、算出された差分パラメータに基づいて、周波数特性補正指令ＡＦＣ及び音量補正指令ＡＶＣを生成する。引き続き、補正制御部２９５Ｃが、適正パラメータＡＤＰにおける同期補正パラメータに基づいて、遅延補正指令ＡＬＣを生成する。こうして生成された周波数特性補正指令ＡＦＣ、遅延補正指令ＡＬＣ及び音量補正指令ＡＶＣを含む補正制御指令ＡＰＣを、補正制御部２９５Ｃが補正処理部３３０へ送る。この後、補正制御部２９５Ｃは、信号ＡＰＤを選択すべき旨を、信号選択指定ＳＬ１として信号選択部２４３へ送るとともに、信号ＣＬＤを選択すべき旨を、信号選択指定ＳＬ２として信号選択部３２０へ送る。【０１７０】
この結果、個別信号ＳＮＤL〜ＳＮＤSRの相互間における相関を考慮する擬似サラウンド処理に適合した、音量補正指令ＡＶＣにおける同期補正処理が相殺された信号ＣＬＤが、信号ＳＮＤとして、擬似サラウンド処理部３２５に供給される。また、信号ＣＬＤに由来する信号ＰＳＤに対して、適正音場補正処理における同期補正処理、並びに適正音場補正処理における周波数特性補正処理及び音量補正処理の態様から、特定音場補正処理における周波数特性補正処理及び音量補正処理の態様を差し引いた態様の音場補正処理が、補正処理部３３０において実行されるようになる。【０１７１】
一方、ステップＳ６２における判定の結果が否定的であった場合（ステップＳ６２：Ｎ）には、処理はステップＳ６６へ進む。このステップＳ６６では、まず、補正制御部２９５Ｃが、記憶部２９６から適正パラメータＡＤＰを読み出す。そして、補正制御部２９５Ｂが、適正パラメータに基づいて、適切に音場補正処理を行うために必要な周波数特性補正指令ＡＦＣ、遅延補正指令ＡＬＣ及び音量補正指令ＡＶＣを含む補正制御指令ＡＰＣを生成する。そして、補正制御部２９５Ｃが、生成された補正制御指令ＡＰＣを補正処理部３３０へ送る。この結果、適正音場補正処理が、補正処理部３３０において実行されるようになる。【０１７２】
以上のようにして、補正処理部３３０の設定が終了すると、ステップＳ６７において、補正制御部２９５Ｃが、指定された音響信号に基づく音声がスピーカユニット９１０L〜９１０SRから出力されるために必要な信号選択指定ＳＬ１，ＳＬ２を信号選択部２４３，３２０へ送る。【０１７３】
ここで、音響信号ＵＡＳが指定された場合には、補正制御部２９５Ｃが、信号ＡＰＤを選択すべき旨を、信号選択指定ＳＬ１として信号選択部２４３へ送るとともに、信号ＣＬＤを選択すべき旨を、信号選択指定ＳＬ２として信号選択部３２０へ送る。この結果、音響信号ＵＡＳの原音響信号に対して適正音場補正処理が施された状態の出力音声信号ＡＯＳL〜ＡＯＳSRが、スピーカユニット９１０L〜９１０SRに供給される。【０１７４】
また、音響信号ＮＡＳが指定された場合には、補正制御部２９５Ｃが、信号ＡＰＤを選択すべき旨を、信号選択指定ＳＬ１として信号選択部２４３へ送るとともに、信号ＮＤ１を選択すべき旨を信号選択指定ＳＬ２として信号選択部３２０へ送る。この結果、音響信号ＮＡＳに対して適正音場補正処理が施された状態の出力音声信号ＡＯＳL〜ＡＯＳSRが、スピーカユニット９１０L〜９１０SRに供給される。【０１７５】
また、音響信号ＮＡＤが指定された場合には、補正制御部２９５Ｃが、信号ＡＰＤを選択すべき旨を、信号選択指定ＳＬ１として信号選択部２４３へ送るとともに、信号ＮＤ２を選択すべき旨を信号選択指定ＳＬ２として信号選択部３２０へ送る。この結果、音響信号ＮＡＤに対して適正音場補正処理が施された状態の出力音声信号ＡＯＳL〜ＡＯＳSRが、スピーカユニット９１０L〜９１０SRに供給される。【０１７６】
以上説明したように、本第３実施形態では、特定の外部機器である音源装置９２０0から受信した音響信号ＵＡＳに施されている特定音場補正処理の態様を処理制御部１１９Ｃにおける補正計測部２９１が計測する。また、実際の音場空間ＡＳＰに応じた適正音場補正処理の態様を、処理制御部１１９Ｃにおける適正補正取得部２９２が取得する。【０１７７】
そして、特定音場補正処理が施されている音響信号ＵＡＳに対応する音声を再生出力することが選択された場合には、同期補正相殺部３１２において、特定音場補正処理における同期補正処理が相殺される。このため、原音響信号における個別信号間同士の同期状態で擬似サラウンド処理が行われる。【０１７８】
また、特定音場補正処理が施されている音響信号ＵＡＳに対応する音声を再生出力することが選択された場合には、適正音場補正処理における同期補正処理、並びに適正音場補正処理における周波数特性補正処理及び音量補正処理の態様から、特定音場補正処理における周波数特性補正処理及び音量補正処理の態様を差し引いた態様の音場補正処理を行う設定を補正処理部３３０に対して行う。【０１７９】
また、音場補正処理が施されていない音響信号ＮＡＳ又は音響信号ＮＡＤに対応する音声を再生出力することが選択された場合には、音響信号ＮＡＳ又は音響信号ＮＡＤに対応する信号ＮＤ１又は信号ＮＤ２に対して擬似サラウンド処理が施される。そして、適正音場補正処理を行う設定が補正処理部３３０に対して行われる。【０１８０】
したがって、音響信号ＵＡＳ，ＮＡＳ，ＮＡＤのいずれが選択されても、適切に擬似サラウンド処理及び音場補正処理が施された状態で、出力音声信号ＡＯＳL〜ＡＯＳSRを、スピーカユニット９１０L〜９１０SRに供給することができる。【０１８１】
また、本第３実施形態では、第１及び第２実施形態の場合と同様に、音源装置９２０0における音場補正処理に含まれる同期補正処理の態様を計測する際には、計測用音声コンテンツとして、Ｌ〜ＳＲチャンネルに対応して周期ＴPで同時に発生するパルス状の音が使用される。このため、第１及び第２実施形態の場合と同様に、補正計測部２９１が信号ＵＡＤの無信号期間が時間ＴP／２以上継続した後における信号ＵＡＤの変化を解析することにより、音源装置９２０0における同期補正処理の態様を正しく計測することができる。【０１８２】
［実施形態の変形］
本発明は、上記の第１〜第３実施形態に限定されるものではなく、様々な変形が可能である。【０１８３】
例えば、上記の第１〜第３実施形態における個別音場補正の種類は例示であり、個別音場補正の種類を少なくしたり、他の種類の個別音場補正を加えたりすることもできる。【０１８４】
また、上記の第１〜第３実施形態では、周波数特性補正処理の態様及び音量バランス補正処理の態様の計測に際して、ピンクノイズ音を使用したが、ホワイトノイズ音を使用してもよい。【０１８５】
また、同期補正処理の態様の計測に際しては、半波正弦波、インパルス波、三角波、鋸切り波及びスポット正弦波等を採用することができる。【０１８６】
また、上記の第１〜第３実施形態では、個別音場補正処理の態様の計測ごとに、利用者が計測対象となる個別音場補正の種類を指定するようにしたが、音源装置９２０0における計測用の音響信号ＵＡＳの生成と、音響信号処理装置１００Ａ，１００Ｂ，１００Ｃにおける計測処理との同期を取ることにより、３種類の個別音場処理の態様の計測を、所定の順序で自動的に行うようにしてもよい。【０１８７】
また、上記の第１〜第３実施形態における音響信号の形態は例示であり、他の形態の音響信号を受ける場合にも本発明を適用することができる。また、音場補正が行われていない音響信号の数は、任意の数とすることができる。【０１８８】
また、上記の第１〜第３実施形態では、４チャンネルサラウンド方式を採用し、４個のスピーカユニットを備えることとしたが、音声コンテンツの読み出し結果であるオーディオ信号を適宜分離もしくは混合し、２個以上３個以下、又は、５個以上のスピーカから音出力をさせるようにする音響信号処理装置に本発明を適用することができる。【０１８９】
上記の第２実施形態に対する第３実施形態への変形と同様の変形を、第１実施形態に対して行うこともできる。【０１９０】
また、上記の第３実施形態では、擬似サラウンド処理部３２５が行う擬似サラウンド処理が１種類であることを想定したが、処理制御部による制御のもとで、複数種類の擬似サラウンド処理の中から、利用者の指定によりされた擬似サラウンド処理を行うようにしてもよい。この場合には、複数種類の擬似サラウンド処理には、個別信号間の相関を考慮しない擬似サラウンド処理が含まれていてもよい。【０１９１】
なお、上記の実施形態における制御ユニットを中央処理装置（ＣＰＵ：Central Processor Unit）やＤＳＰ（Digital Signal Processor）を備えるコンピュータシステムとして構成し、制御ユニットの機能を、プログラムの実行によって実現するようにすることもできる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図１】
2009107227.tif 000003
【図２】
2009107227.tif 000004
【図３】
2009107227.tif 000005
【図４】
2009107227.tif 000006
【図５】
2009107227.tif 000007
【図６】
2009107227.tif 000008
【図７】
2009107227.tif 000009
【図８】
2009107227.tif 000010
【図９】
2009107227.tif 000011
【図１０】
2009107227.tif 000012
【図１１】
2009107227.tif 000013
【図１２】
2009107227.tif 000014
【図１３】
2009107227.tif 000015
【図１４】
2009107227.tif 000016
【図１５】
2009107227.tif 000017
【図１６】
2009107227.tif 000018
【図１７】
2009107227.tif 000019
【図１８】
2009107227.tif 000020
【図１９】
2009107227.tif 000021
【図２０】
2009107227.tif 000022
【図２１】
2009107227.tif 000023
【図２２】
2009107227.tif 000024
【図２３】
2009107227.tif 000025
【図２４】
2009107227.tif 000026
【図２５】
2009107227.tif 000027
【図２６】
2009107227.tif 000028
【図２７】
2009107227.tif 000029
【手続補正書】
【提出日】平成22年7月8日(2010.7.8)
【手続補正１】
【補正対象書類名】特許請求の範囲
【補正対象項目名】請求項１
【補正方法】変更
【補正の内容】
【請求項１】
予め対応付けられたチャンネルの音声を音場空間に出力する複数のスピーカのそれぞれに供給される音響信号を生成する音響信号処理装置であって、
複数の外部機器のそれぞれから音響信号を受信する受信手段と；
前記複数の外部機器のうちの特定の外部機器から受信した音響信号である特定音響信号に対して施されている音場補正処理である特定音場補正処理の態様を計測する計測手段と；
前記音場空間に応じて、原音響信号に対して施されるべき音場補正処理である適正補正処理の態様を取得する取得手段と；
前記複数のスピーカに供給される音響信号として前記特定音響信号が選択された場合に、前記計測手段による計測結果及び前記取得手段による取得結果に基づいて、前記特定音響信号に対応する原音響信号に対して前記適正補正処理が施された音響信号を生成する生成手段と；を備え、
前記計測手段による計測対象となる前記特定音場補正処理は、前記複数のスピーカのそれぞれから出力される音声の同期化を図る同期補正処理、前記複数のスピーカのそれぞれからの出力音量のバランスを補正する音量バランス補正処理、及び、前記複数のスピーカのそれぞれに供給される音響信号の周波数特性を補正する周波数特性補正処理の少なくとも１つである、
ことを特徴とする音響信号処理装置。
【手続補正２】
【補正対象書類名】特許請求の範囲
【補正対象項目名】請求項１３
【補正方法】変更
【補正の内容】
【請求項１３】
予め対応付けられたチャンネルの音声を音場空間に出力する複数のスピーカのそれぞれに供給される音響信号を生成する音響信号処理方法であって、
複数の外部機器のうちの特定の外部機器から受信した音響信号である特定音響信号に対して施されている音場補正処理である特定音場補正処理の態様を計測する計測工程と；
前記音場空間に応じて、原音響信号に対して施されるべき音場補正処理である適正補正処理の態様を取得する取得工程と；
前記複数のスピーカに供給される音響信号として前記特定音響信号が選択された場合に、前記計測工程における計測結果及び前記取得工程における取得結果に基づいて、前記特定音響信号に対応する原音響信号に対して前記適正補正処理が施された音響信号を生成する生成工程と；を備え、
前記計測工程において計測対象となる前記特定音場補正処理は、前記複数のスピーカのそれぞれから出力される音声の同期化を図る同期補正処理、前記複数のスピーカのそれぞれからの出力音量のバランスを補正する音量バランス補正処理、及び、前記複数のスピーカのそれぞれに供給される音響信号の周波数特性を補正する周波数特性補正処理の少なくとも１つである、
ことを特徴とする音響信号処理方法。
【手続補正３】
【補正対象書類名】明細書
【補正対象項目名】００１１
【補正方法】変更
【補正の内容】
【００１１】
本発明は、第１の観点からすると、予め対応付けられたチャンネルの音声を音場空間に出力する複数のスピーカのそれぞれに供給される音響信号を生成する音響信号処理装置であって、複数の外部機器のそれぞれから音響信号を受信する受信手段と；前記複数の外部機器のうちの特定の外部機器から受信した音響信号である特定音響信号に対して施されている音場補正処理である特定音場補正処理の態様を計測する計測手段と；前記音場空間に応じて、原音響信号に対して施されるべき音場補正処理である適正補正処理の態様を取得する取得手段と；前記複数のスピーカに供給される音響信号として前記特定音響信号が選択された場合に、前記計測手段による計測結果及び前記取得手段による取得結果に基づいて、前記特定音響信号に対応する原音響信号に対して前記適正補正処理が施された音響信号を生成する生成手段と；を備え、前記計測手段による計測対象となる前記特定音場補正処理は、前記複数のスピーカのそれぞれから出力される音声の同期化を図る同期補正処理、前記複数のスピーカのそれぞれからの出力音量のバランスを補正する音量バランス補正処理、及び、前記複数のスピーカのそれぞれに供給される音響信号の周波数特性を補正する周波数特性補正処理の少なくとも１つである、ことを特徴とする音響信号処理装置である。
【手続補正４】
【補正対象書類名】明細書
【補正対象項目名】００１２
【補正方法】変更
【補正の内容】
【００１２】
本発明は、第２の観点からすると、予め対応付けられたチャンネルの音声を音場空間に出力する複数のスピーカのそれぞれに供給される音響信号を生成する音響信号処理方法であって、複数の外部機器のうちの特定の外部機器から受信した音響信号である特定音響信号に対して施されている音場補正処理である特定音場補正処理の態様を計測する計測工程と；前記音場空間に応じて、原音響信号に対して施されるべき音場補正処理である適正補正処理の態様を取得する取得工程と；前記複数のスピーカに供給される音響信号として前記特定音響信号が選択された場合に、前記計測工程における計測結果及び前記取得工程における取得結果に基づいて、前記特定音響信号に対応する原音響信号に対して前記適正補正処理が施された音響信号を生成する生成工程と；を備え、前記計測工程において計測対象となる前記特定音場補正処理は、前記複数のスピーカのそれぞれから出力される音声の同期化を図る同期補正処理、前記複数のスピーカのそれぞれからの出力音量のバランスを補正する音量バランス補正処理、及び、前記複数のスピーカのそれぞれに供給される音響信号の周波数特性を補正する周波数特性補正処理の少なくとも１つである、ことを特徴とする音響信号処理方法である。
【手続補正５】
【補正対象書類名】明細書
【補正対象項目名】００９４
【補正方法】変更
【補正の内容】
【００９４】
この状態で、利用者が操作入力ユニット１６０を利用して、取得指令を入力すると、操作入力データＩＰＤとして、その旨が補正制御部２９５Ａに報告される。この報告を受けると、ステップＳ２１における判定の結果が肯定的となり（ステップＳ２１：Ｙ）、処理がステップＳ２２へ進む。このステップＳ２２では、補正制御部２９５Ａが、適正音場補正処理の態様の取得指令を、取得制御信号ＡＣＱとして補正計測部２９１へ送る。
【手続補正６】
【補正対象書類名】明細書
【補正対象項目名】０１２３
【補正方法】変更
【補正の内容】
【０１２３】
こうして生成された補正制御指令ＡＰＣを、補正制御部２９５Ｂが補正処理部３３０へ送る。この後、補正制御部２９５Ｂは、信号ＡＰＤを選択すべき旨を、信号選択指定ＳＬ１として信号選択部２４３へ送るとともに、信号ＮＤ２を選択すべき旨を、信号選択指定ＳＬ２として信号選択部３２０へ送る。
【国際調査報告】
2009107227.tif 000030
2009107227.tif 000031
2009107227.tif 000032
2009107227.tif 000033